(57)【要約】基地局装置が移動局装置に対して割当てる識別情報群（MAC ID）領域の効率的な利用と、移動局装置から基地局装置に対してMBMSサービスの送信開始を要求するための上りリンクリソースの低減を実現する。マルチメディアブロードキャストマルチキャストサービス（MBMS）を提供する移動通信システムにおいて基地局装置と通信を行う移動局装置である。この移動通信システムで提供されるMBMSサービスを識別するMBMSサービスIDと、セル内で送信されるMBMSサービスを識別するMBMS用短送信識別子（MBMS short transmission ID）と、をマッピングし、さらに、MBMS用短送信識別子（MBMS short transmission ID）を、マルチキャストされる移動局のグループを識別するMBMS用グループ識別子（MBMS-RNTI）にマッピングする制御部２１０を備える。このMBMS制御部２１０は、SCPTMセルを構成する基地局装置から受信した情報をもとに、MBMSサービスIDとMBMS用短送信識別子（MBMS short transmission ID）とMBMS用グループ識別子（MBMS-RNTI）の対応関係の管理を行う。
2009131087.tif 000002
【特許請求の範囲】
【請求項１】
マルチメディアブロードキャストマルチキャストサービス（MBMS）を提供する移動通信システムにおいて、基地局装置と通信を行う移動局装置であって、
セル内で送信されるMBMSサービスを識別するMBMS用短送信識別子（MBMS short transmission ID）を、マルチキャストされる移動局のグループを識別するMBMS用グループ識別子（MBMS-RNTI）にマッピングする第１の制御部を備えることを特徴とする移動局装置。
【請求項２】
前記MBMS用短送信識別子（MBMS short transmission ID）は、移動通信システムで提供されるMBMSサービスとマッピングされていることを特徴とする請求項１に記載の移動局装置。
【請求項３】
前記MBMS用グループ識別子（MBMS-RNTI）と前記MBMS用短送信識別子（MBMS short transmission ID）のマッピングを、予め定められた情報をもとに特定することを特徴とする請求項１に記載の移動局装置。
【請求項４】
前記MBMS用グループ識別子（MBMS-RNTI）と前記MBMS用短送信識別子（MBMS short transmission ID）のマッピングを、基地局装置から通知される情報をもとに特定することを特徴とする請求項１に記載の移動局装置。
【請求項５】
前記MBMS用グループ識別子（MBMS-RNTI）と前記MBMS用短送信識別子（MBMS short transmission ID）のマッピングを、前記基地局装置から通知されるMBMS用短送信識別子（MBMS short transmission ID）とMBMSグループ識別子（MBMS-RNTI）のマッピングを示す情報における前記MBMSグループ識別子（MBMS-RNTI）の配置位置をもとに特定することを特徴とする請求項４に記載の移動局装置。
【請求項６】
前記基地局装置から通知されるMBMS用短送信識別子（MBMS short transmission ID）とMBMSグループ識別子（MBMS-RNTI）のマッピングを示す情報に、固定識別子（base ID）と可変識別子（flexible ID）を含み、前記MBMS用グループ識別子（MBMS-RNTI）と前記MBMS用短送信識別子（MBMS short transmission ID）のマッピングを、前記固定識別子（base ID）と前記可変識別子（flexible ID）をもとに特定することを特徴とする請求項４に記載の移動局装置。
【請求項７】
前記基地局装置から通知されるMBMS用短送信識別子（MBMS short transmission ID）とMBMSグループ識別子（MBMS-RNTI）のマッピングを示す情報に、固定識別子（base ID）を含み、前記MBMS用グループ識別子（MBMS-RNTI）と前記MBMS用短送信識別子（MBMS short transmission ID）のマッピングを、前記固定識別子（base ID）をもとに特定することを特徴とする請求項４に記載の移動局装置。
【請求項８】
前記MBMS用グループ識別子（MBMS-RNTI）は、識別情報群（MAC ID）のうち、ユニキャストデータの送受信時に移動局装置を指定するために利用するセル無線網臨時識別子（C-RNTI）の中から割当てられることを特徴とする請求項１に記載の移動局装置。
【請求項９】
基地局装置に対して、受信を希望するMBMSサービスの送信を要求するために、MBMS用短送信識別子（MBMS short transmission ID）を含むMBMSサービス開始要求メッセージを送信することを特徴とする請求項１に記載の移動局装置。
【請求項１０】
MBMSサービスのスケジューリングを行うために、前記MBMS用グループ識別子（MBMS-RNTI）が物理下りリンク制御チャネル（PDCCH）に含められていることを特徴とする請求項１に記載の移動局装置。
【請求項１１】
移動局装置へMBMSサービスを提供する基地局装置であって、
移動局装置からMBMS用短送信識別子（MBMS short transmission ID）を含むMBMSサービス開始要求メッセージを受信した場合に、MBMS用短送信識別子（MBMS short transmission ID）に対応するMBMS用グループ識別子（MBMS-RNTI）を算出し、MBMSサービスの送信を開始する第２の制御部を備えることを特徴とする基地局装置。
【請求項１２】
基地局装置と移動局装置とを含み、マルチメディアブロードキャストマルチキャストサービス（MBMS）を提供する移動通信システムにおいて、
前記移動局装置は、移動通信システムで提供されるMBMSサービスを識別するMBMSサービスIDと、SCPTMセル内で送信されるMBMSサービスを識別するMBMS用短送信識別子（MBMS short transmission ID）とをマッピングし、さらに、前記MBMS用短送信識別子（MBMS short transmission ID）を、マルチキャストされる移動局のグループを識別するMBMS用グループ識別子（MBMS-RNTI）にマッピングする第１の制御部を備え、
前記基地局装置は、前記移動局装置からMBMS用短送信識別子（MBMS short transmission ID）を含む前記MBMSサービス開始要求メッセージを受信した場合に、MBMS用短送信識別子（MBMS short transmission ID）に対応するMBMS用グループ識別子（MBMS-RNTI）を算出し、MBMSサービスの送信を開始する第２の制御部を備えることを特徴とする移動通信システム。
【請求項１３】
マルチメディアブロードキャストマルチキャストサービス（MBMS）を提供する移動通信システムにおいて、基地局装置と通信を行う移動局装置における通信方法であって、
移動通信システムで提供されるMBMSサービスを識別するMBMSサービスIDと、セル内で送信されるMBMSサービスを識別するMBMS用短送信識別子（MBMS short transmission ID）とをマッピングするステップと、
さらに、前記MBMS用短送信識別子（MBMS short transmission ID）を、マルチキャストされる移動局のグループを識別するMBMS用グループ識別子（MBMS-RNTI）にマッピングするステップと
を有することを特徴とする通信方法。
【請求項１４】
請求項１３に記載の方法をコンピュータに実行させるためのプログラム。
【発明の詳細な説明】
【技術分野】
【０００１】
本発明は、通信技術に関し、特に、移動局装置、基地局装置、通信システム、通信方法、及びプログラムに関する。
【背景技術】
【０００２】
＜EUTRA／EUTRANについて＞
固定系通信および移動系通信に共通に適用できる携帯電話系のネットワークのため、3GPP（3rd Generation Partnership Project、第三世代パートナーシッププロジェクト）では、W-CDMA（Wideband Code Division Multiple Access）方式が第三世代セルラー移動通信方式として標準化され、順次サービスが開始されている。また、通信速度を更に上げたHSDPA（High Speed Downlink Packet Access）も標準化され、サービスが開始されつつある。さらに、3GPPでは、第三世代無線アクセスの進化（Evolved Universal Terrestrial Radio Access、以下、「EUTRA」と称する）が検討されている。【０００３】
EUTRAの下りリンクとして、OFDM（Orthogonal Frequency Division Multiplexing）方式が提案されている。EUTRA技術として、OFDM方式にチャネル符号化等の適応無線リンク制御（リンクアダプテーション、Link Adaptation）に基づく適応変復調・誤り訂正方式（AMCS：Adaptive Modulation and Coding Scheme）といった技術が適用されている。AMCS方式とは、高速パケットデータ伝送を効率的に行うために、各移動局装置の伝搬路状況に応じて、誤り訂正方式、誤り訂正の符号化率、データ変調多値数（MCS：Modulation and Coding Scheme）、時間・周波数軸の符号拡散率（SF：Spreading Factor）、マルチコード多重数など無線伝送パラメーターを切り替える方式である。例えば、データ変調については、伝搬路状況が良好になるに従って、QPSK（Quadrature Phase Shift Keying）変調から、16QAM（Quadrature Amplitude Modulation）変調、64QAM変調など、より高い効率の多値変調に切り替えることで、通信システムの最大スループットを増大させることができる。一方、EUTRAの上りリンクとしては、DFT-S-OFDM（Discrete Fourier transform Spread OFDM）方式が提案されている（下記非特許文献１参照）。【０００４】
図２０は、EUTRAにおける物理チャネル構成例を示す図である（非特許文献１参照）。EUTRAの下りリンクは、物理報知チャネル（PBCH：Physical Broadcast Channel）、物理下りリンク制御チャネル（PDCCH：Physical Downlink Control Channel）、物理下りリンク共用チャネル（PDSCH：Physical Downlink Shared Channel）、物理マルチキャストチャネル（PMCH：Physical Multicast Channel）、物理制御フォーマット指示チャネル（PCFICH：Physical Control Format Indicator Channel）、物理ハイブリッド自動再送要求指示チャネル（PHICH：Physical Hybrid ARQ Indicator Channel）、により構成されている。【０００５】
また、EUTRAの上りリンクは、物理上りリンク共用チャネル（PUSCH：Physical Uplink Shared Channel）、物理ランダムアクセスチャネル（PRACH：Physical Random Access Channel）、物理上りリンク制御チャネル（PUCCH：Physical Uplink Control Channel）と、により構成されている。【０００６】
＜MBMSについて＞
そして、EUTRAに関する議論では、マルチメディアブロードキャストマルチキャストサービス（MBMS：Multimedia Broadcast Multicast Service、以下「MBMSサービス」と呼ぶ）についての検討がなされている。MBMSサービスの送信方法としては、単セル一対多（SCPTM：Single-Cell Point-to-Multipoint）送信と、マルチメディアブロードキャストマルチキャストサービス単一周波数網（MBSFN：Multimedia Broadcast multicast service Single Frequency Network）送信とがある。【０００７】
ここで、MBSFN送信（MBSFN Transmission）とは、複数セルから同時に識別可能な波形（信号）を送信することで実現される同時送信技術である。MBSFNエリアを構成する複数の基地局装置からMBSFN送信を行った場合、移動局装置では１つの送信として捉えることができる。また、MBSFNエリア（MBSFN Area）は、MBSFN同期エリアにおけるセルのグループで構成され、MBSFN送信が行われる。MBSFN同期エリア（MBSFN Synchronization Area）とは、全ての基地局装置が同期して、MBSFN送信を行うネットワークエリアである。すなわち、MBSFNエリアはMBSFN同期エリアに属し、MBSFNエリアではMBSFN送信を用いたMBMSサービスの提供が行われる。【０００８】
一方、SCPTM送信とは、１つの基地局装置でMBMSサービスを送信する方法である。本明細書では、説明の便宜上、SCPTM送信によって基地局装置がMBMSサービスを提供する範囲をSCPTMセルと呼ぶこととする。
【非特許文献１】3GPP TS (Technical Specification) 36.300 V8.3.0 (2007-12), Evolved Universal Terrestrial Radio Access (EUTRA) and Evolved Universal Terrestrial Radio Access Network (EUTRAN); Overall description; Stage2 (Release 8)．
【発明の開示】
【発明が解決しようとする課題】
【０００９】
＜SCPTMセルでのMBMSサービス提供方法について＞
ところで、SCPTMセルでMBMSサービスを提供する場合に、従来の方法では、MBMSサービスを含む下りリンクリソースのスケジューリングを行う際に、受信するべき移動局装置をどのように指定するかについて明確ではないため、MBMSサービスの受信ができない。また、ユニキャストデータのスケジューリングには、移動局装置の識別子である１６ビットのセル無線網臨時識別子（C-RNTI：Cell - Radio Network Temporary Identity）が使用される。【００１０】
また、基地局装置は、オペレータまたは移動通信システムで提供されているMBMSサービスを識別する情報であるMBMSサービスIDを移動局装置へ通知する。ここで、MBMSサービスIDとは、２４ビット（３オクテット）から４０ビット（５オクテット）程度で構成され、オペレータで提供可能なMBMSサービスに対して割当てられる識別子であり、オペレータ毎に識別可能なIDである。しかしながら、このMBMSサービスIDは、１６ビット以上であるため、ユニキャストデータをスケジューリングする際の１６ビットの移動局装置の指定方法と混在させて利用することができないという問題がある。【００１１】
本発明は、基地局装置が移動局装置に対して割当てる識別情報群（MAC ID（RNTI、移動局識別子（UEID）とも言う））領域の効率的な利用と、移動局装置から基地局装置に対してMBMSサービスの送信開始を要求するための上りリンクリソースの低減を実現することを目的とする。
【課題を解決するための手段】
【００１２】
本発明に係る通信技術は、SCPTMセルを構成する基地局装置は、MBMSサービスIDとMBMS用短送信識別子（MBMS short transmission ID）とMBMS用グループ識別子（MBMS-RNTI：MBMS - Radio Network Temporary Identity）との対応関係に基づいて、基地局装置が移動局装置に対して割当てる移動局識別子（UEID：User Equipment Identity）領域を効率的に利用する、また、移動局装置から基地局装置に対してMBMSサービスの送信開始を要求するための上りリンクリソースを低減する。【００１３】
本発明の一観点によれば、マルチメディアブロードキャストマルチキャストサービス（MBMS）を提供する移動通信システムにおいて、基地局装置と通信を行う移動局装置であって、セル内で送信されるMBMSサービスを識別するMBMS用短送信識別子（MBMS short transmission ID）を、マルチキャストされる移動局のグループを識別するMBMS用グループ識別子（MBMS-RNTI）にマッピングする第１の制御部を備えることを特徴とする移動局装置が提供される。【００１４】
また、移動局装置へMBMSサービスを提供する基地局装置であって、移動局装置からMBMS用短送信識別子（MBMS short transmission ID）を含むMBMSサービス開始要求メッセージを受信した場合に、MBMS用短送信識別子（MBMS short transmission ID）に対応するMBMS用グループ識別子（MBMS-RNTI）を算出し、MBMSサービスの送信を開始する第２の制御部を備えることを特徴とする基地局装置が提供される。【００１５】
さらに、基地局装置と移動局装置とを含み、マルチメディアブロードキャストマルチキャストサービス（MBMS）を提供する移動通信システムにおいて、前記移動局装置は、移動通信システムで提供されるMBMSサービスを識別するMBMSサービスIDと、SCPTMセル内で送信されるMBMSサービスを識別するMBMS用短送信識別子（MBMS short transmission ID）とをマッピングし、さらに、前記MBMS用短送信識別子（MBMS short transmission ID）を、マルチキャストされる移動局のグループを識別するMBMS用グループ識別子（MBMS-RNTI）にマッピングする第１の制御部を備え、前記基地局装置は、前記移動局装置からMBMS用短送信識別子（MBMS short transmission ID）を含む前記MBMSサービス開始要求メッセージを受信した場合に、MBMS用短送信識別子（MBMS short transmission ID）に対応するMBMS用グループ識別子（MBMS-RNTI）を算出し、MBMSサービスの送信を開始する第２の制御部を備えることを特徴とする移動通信システムが提供される。【００１６】
本発明の他の観点によれば、マルチメディアブロードキャストマルチキャストサービス（MBMS）を提供する移動通信システムにおいて、基地局装置と通信を行う移動局装置における通信方法であって、移動通信システムで提供されるMBMSサービスを識別するMBMSサービスIDと、セル内で送信されるMBMSサービスを識別するMBMS用短送信識別子（MBMS short transmission ID）とをマッピングするステップと、さらに、前記MBMS用短送信識別子（MBMS short transmission ID）を、マルチキャストされる移動局のグループを識別するMBMS用グループ識別子（MBMS-RNTI）にマッピングするステップと、を有することを特徴とする通信方法が提供される。この方法をコンピュータに実行させるためのプログラムであっても良い。また、プログラムを記録した記録媒体であっても良い。プログラムは、伝送媒体により取得されるものであっても良い。
【発明の効果】
【００１７】
本発明によれば、基地局装置が移動局装置に対して割当てる識別情報群（MAC ID（RNTI、移動局識別子（UEID）））領域の効率的な利用と、移動局装置から基地局装置に対してMBMSサービスの送信開始を要求するための上りリンクリソースの低減を実現することができるという利点がある。
【図面の簡単な説明】
【００１８】
【図１】本発明の一実施の形態による通信技術に用いられる基地局装置の一構成例を示す機能ブロック図である。
【図２】本実施の形態における移動局装置の一構成例を示す機能ブロック図である。
【図３】EUTRAにおけるチャネルの構成例を示す図であり下りリンクのチャネルのマッピング関係を示す図である。
【図４】EUTRAにおけるチャネルの構成例を示す図であり上りリンクのチャネルのマッピング関係を示す図である。
【図５】EUTRAにおけるフレームの構成を示す図であり、上りリンクのフレーム構成例を示す図である。
【図６】EUTRAにおけるフレームの構成を示す図であり、下りリンクのフレーム構成を示す図である。
【図７】MBMS関連情報において、MBMS用短送信識別子（MBMS short transmission ID）とMBMSサービスIDのマッピング情報とを送信する際におけるマッピング関係を陽に示され、さらに、そのMBMSサービスが送信されているか否かを示す図である。
【図８】MBMS関連情報において、MBMS用短送信識別子（MBMS short transmission ID）とMBMSサービスIDのマッピング情報とを送信する際におけるマッピング関係を暗に示され、さらに、そのMBMSサービスが送信されているか否かを示す図である。
【図９】SCPTMセルにおいて、第３のマッピング方法を利用してMBMSサービスを提供する際に、物理下りリンク制御チャネル（PDCCH）にマッピングされる識別情報群（MAC ID）の空間を示す概念図である。
【図１０】SCPTMセルにおいて、第２および第３のマッピング方法を利用してMBMSサービスを提供する際に、物理下りリンク制御チャネル（PDCCH）にマッピングされる識別情報群（MAC ID）の空間を示す概念図である。
【図１１】SCPTMセルにおいて、第１のマッピング方法を利用してMBMSサービスを提供する際に、MBMS用短送信識別子（MBMS short transmission ID）とMBMS用グループ識別子（MBMS-RNTI）とMBMSサービスIDの対応関係を示す図である。
【図１２】SCPTMセルにおいて、第２のマッピング方法を利用してMBMSサービスを提供する際に、MBMS関連情報において、MBMS用短送信識別子（MBMS short transmission ID）とMBMS用グループ識別子（MBMS-RNTI）とを送信する際におけるマッピング関係を暗に示す図である。
【図１３】図１３（ａ）は、SCPTMセルにおいて、第３のマッピング方法を利用してMBMSサービスを提供する際に、MBMS用短送信識別子（MBMS short transmission ID）とMBMS用グループ識別子（MBMS-RNTI）とMBMSサービスIDの対応関係を示す図であり、図１３（ｂ）は、固定識別子（base ID）としてFEDC（１６進表記）が設定されている場合を示す図である。
【図１４】SCPTMセルにおいて、第３のマッピング方法を利用してMBMSサービスを提供する際に、MBMS関連情報において、MBMS用短送信識別子（MBMS short transmission ID）と可変識別子（flexible ID）との暗に示されたマッピング情報とともに、固定識別子（base ID）が送信されることを示す図である。
【図１５】SCPTMセルを構成する基地局装置（無線リソース制御部１０９（MBMS制御部１１０含む））における送信手順を示すフローチャート図である。
【図１６】SCPTMセルにおいて、第２のマッピング方法を利用してMBMSサービスを提供する場合に、MBMS用短送信識別子（MBMS short transmission ID）とMBMS用グループ識別子（MBMS-RNTI）とMBMSサービスIDの対応関係を示す図である。
【図１７】SCPTMセルにおいて、第１のマッピング方法を利用してMBMSサービスを受信する際の移動局装置（無線リソース制御部２０９（MBMS制御部２１０を含む））における処理手順を示すフローチャート図である。
【図１８】SCPTMセルにおいて、第２のマッピング方法を利用してMBMSサービスを受信する際の移動局装置（無線リソース制御部２０９（MBMS制御部２１０を含む））の処理手順を示すフローチャート図である。
【図１９】SCPTMセルにおいて、第３のマッピング方法を利用してMBMSサービスを受信する際の移動局装置（無線リソース制御部２０９（MBMS制御部２１０を含む））の処理手順を示すフローチャート図である。
【図２０】EUTRAにおける物理チャネル構成例を示す図である。
【図２１】図２１（ａ）は、SCPTMセルにおいて、第４のマッピング方法を利用してMBMSサービスを提供する際に、MBMS用短送信識別子（MBMS short transmission ID）とMBMS用グループ識別子（MBMS-RNTI）とMBMSサービスIDの対応関係を示す図であり、図２１（ｂ）は、固定識別子（base ID）としてFEDB（１６進表記）が設定されている場合を示す図である。
【図２２】第４のマッピング方法を利用して取得した固定識別子（base ID）を示す図である。
【図２３】第４のマッピング方法を利用して、SCPTMセルでMBMSサービスを受信する際の移動局装置（無線リソース制御部２０９（MBMS制御部２１０を含む））の処理手順を示すフローチャート図である。
【符号の説明】
【００１９】
１００  基地局装置
１０１  データ制御部
１０２  OFDM変調部
１０３  無線部
１０４  スケジューリング部
１０５  チャネル推定部
１０６  DFT-S-OFDM復調部
１０７  データ抽出部
１０８  上位層
１０９  無線リソース制御部
１１０  MBMS制御部（第２の制御部）
２００  移動局装置
２０１  データ制御部
２０２  DFT-S-OFDM変調部
２０３  無線部
２０４  スケジューリング部
２０５  チャネル推定部
２０６  OFDM復調部
２０７  データ抽出部
２０８  上位層
２０９  無線リソース制御部
２１０  MBMS制御部（第１の制御部）
【発明を実施するための最良の形態】
【００２０】
以下、本発明の一実施の形態による通信技術について図面を参照しながら説明する。本実施の形態による通信システムは、基地局装置１００と、移動局装置２００と、を備えて構成される。【００２１】
＜基地局装置＞
図１は、本発明の一実施の形態による通信技術に用いられる基地局装置の一構成例を示す機能ブロック図である。図１に示すように、基地局装置１００は、データ制御部１０１と、OFDM変調部１０２と、無線部１０３と、スケジューリング部１０４と、チャネル推定部１０５と、DFT-Spread-OFDM（DFT-S-OFDM）復調部１０６と、データ抽出部１０７と、上位層１０８と、を含んで構成される。また、無線部１０３、スケジューリング部１０４、チャネル推定部１０５、DFT-Spread-OFDM（DFT-S-OFDM）復調部１０６、データ抽出部１０７、上位層１０８、で受信部を構成し、データ制御部１０１、OFDM変調部１０２、無線部１０３、スケジューリング部１０４、上位層１０８で送信部を構成している。【００２２】
無線部１０３、チャネル推定部１０５、DFT-Spread-OFDM（DFT-S-OFDM）復調部１０６、データ抽出部１０７で、上りリンクの物理層の処理を行う。データ制御部１０１、OFDM変調部１０２、無線部１０３で、下りリンクの物理層の処理を行う。【００２３】
データ制御部１０１は、スケジューリング部１０４からトランスポートチャネルおよびスケジューリング情報を受信する。そして、上記スケジューリング情報に基づいて、トランスポートチャネルと、物理層で生成されるチャネルとを、物理チャネルにマッピングする。そして、物理チャネルと、物理層で生成される信号とを、物理リソースにマッピングする。【００２４】
以上のようにしてマッピングされた各データは、OFDM変調部１０２へ出力される。【００２５】
OFDM変調部１０２は、データ制御部１０１から入力されたデータに対して、スケジューリング部１０４からのスケジューリング情報（下りリンク物理リソースブロック（PRB：Physical Resource Block）割り当て情報（例えば、周波数、時間など物理リソースブロック位置情報）や、各PRBに対応する変調方式および符号化方式（例えば、１６QAM変調、２／３コーディングレート）などを含む）に基づいて、符号化、データ変調、入力信号の直列／並列変換、IFFT（Inverse Fast Fourier Transform、逆高速フーリエ変換）処理、CP（Cyclic Prefix）挿入、並びに、フィルタリングなどOFDM信号処理を行い、OFDM信号を生成して、無線部１０３へ出力する。【００２６】
無線部１０３は、OFDM変調部１０２から入力された変調データを無線周波数にアップコンバートして無線信号を生成し、アンテナ（図示せず）を介して、移動局装置２００に送信する。【００２７】
また、無線部１０３は、移動局装置２００からの上りリンクの無線信号を、アンテナ（図示せず）を介して受信し、ベースバンド信号にダウンコンバートして、受信データをチャネル推定部１０５とDFT-S-OFDM復調部１０６とに出力する。【００２８】
スケジューリング部１０４は、媒体アクセス制御（MAC：Medium Access Control）層の処理を行う。スケジューリング部１０４は、論理チャネルとトランスポートチャネルのマッピング、下りリンクおよび上りリンクのスケジューリング（HARQ処理、トランスポートフォーマットの選択など）などを行う。【００２９】
スケジューリング部１０４は、下りリンクのスケジューリングでは、移動局装置２００から受信した上りリンクのフィードバック情報（下りリンクのチャネルフィードバック情報（チャネル品質、ストリームの数、プレコーディング情報などを含む）や、下りリンクデータに対するACK/NACKフィードバック情報など）、各移動局装置の使用可能なPRBの情報、下りリンクのバッファ状況、上位層１０８から入力されたスケジューリング情報などに基づいて、各データを変調するための下りリンクのトランスポートフォーマット（送信形態とも言う。物理リソースブロックの割り当て、変調方式および符号化方式などを含む。）の選定処理およびHARQにおける再送制御を行う。これら下りリンクのスケジューリングに使用されるスケジューリング情報は、データ制御部１０１へ出力される。【００３０】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なPRBの情報、上位層１０８から入力されたスケジューリング情報などに基づいて、各データを変調するための上りリンクのトランスポートフォーマット（送信形態とも言う。物理リソースブロック（PRB）の割り当て、変調方式および符号化方式などを含む）の選定処理を行う。これら上りリンクのスケジューリングに使用されるスケジューリング情報は、データ制御部１０１へ出力される。【００３１】
また、スケジューリング部１０４は、識別情報群（MAC ID（RNTI、移動局識別子（UEID）とも言う））の生成を行う。MAC IDは媒体アクセス制御（MAC）層で生成される識別子である。【００３２】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャネルとを、必要に応じて処理した後、上りリンクの論理チャネルにマッピングし、上位層１０８へ出力する。【００３３】
チャネル推定部１０５は、上りリンクデータの復調のために、上りリンク復調用参照信号（DRS：Demodulation Reference Signal）から上りリンクのチャネル状態を推定し、その推定結果をDFT-S-OFDM復調部１０６に出力する。また、上りリンクのスケジューリングを行うために、上りリンク測定用参照信号（SRS：Sounding Reference Signal）から上りリンクのチャネル状態を推定し、その推定結果をスケジューリング部１０４に出力する。尚、上りリンクの通信方式は、DFT-S-OFDM等のようなシングルキャリア方式を用いることを想定しているが、OFDM方式のようなマルチキャリア方式を用いてもよい。【００３４】
DFT-S-OFDM復調部１０６は、チャネル推定部１０５から入力された上りリンクのチャネル状態推定結果に基づいて、無線部１０３から入力された変調データに対し、DFT変換、サブキャリアマッピング、IFFT変換、フィルタリング等のDFT-S-OFDM信号処理を行い、復調処理を施し、データ抽出部１０７に出力する。【００３５】
データ抽出部１０７は、DFT-S-OFDM復調部１０６から入力されたデータに対して、巡回冗長検査（CRC：Cyclic Redundancy Check）を行い、正誤を確認するとともに、確認結果（肯定応答ACK/否定応答NACK）をスケジューリング部１０４に出力する。また、データ抽出部１０７は、DFT-S-OFDM復調部１０６から入力されたデータからトランスポートチャネルと物理層の制御データとに分離して、スケジューリング部１０４に出力する。分離された制御データには、移動局装置２００から通知された上りリンクのフィードバック情報（下りリンクのチャネルフィードバック情報（CQIフィードバック情報、チャネル品質情報、チャネル状態情報とも言う。）、下りリンクのデータに対するACK/NACKフィードバック情報）などが含まれている。【００３６】
上位層１０８は、パケットデータ統合プロトコル(PDCP: Packet Data Convergence Protocol)層、無線リンク制御（RLC: Radio Link Control）層、無線リソース制御（RRC: Radio Resource Control）層の処理を行う。上位層１０８は、無線リソース制御部１０９（第２の制御部とも言う）を有している。無線リソース制御部１０９は、MBMS制御部１１０を有している。【００３７】
無線リソース制御部１０９は、各種設定情報の管理、システム情報の管理、ページング制御、各移動局装置の通信状態の管理、ハンドオーバーなどの移動管理、移動局装置毎のバッファ状況の管理、ユニキャストおよびマルチキャストベアラの接続設定の管理などを行っている。【００３８】
また、MBMS制御部１１０は、MBMSサービス（MBMS送信データとも言う。）の管理と識別情報群（MAC ID（RNTI、移動局識別子（UEID））とも言う）の管理を行っている。すなわち、SCPTMセルを構成する基地局装置１００のMBMS制御部１１０は、MBMSサービスIDとMBMS用短送信識別子（MBMS short transmission ID）のマッピング情報を管理している。さらに、MBMS制御部１１０は、MBMS用短送信識別子（MBMS short transmission ID）とMBMS用グループ識別子（MBMS-RNTI）のマッピング情報も管理している。MBMS制御部１１０は、各移動局装置に対して、MBMS関連情報（報知制御チャネル（BCCH）および／またはマルチキャスト制御チャネル（MCCH）に含まれる）で、上記MBMS用短送信識別子（MBMS short transmission ID）とMBMSサービスID のマッピング情報を報知する。また、MBMS制御部１１０は、MBMSサービスの送信開始や停止を制御する。また、MBMS制御部１１０は、移動局装置２００からMBMS用短送信識別子（MBMS short transmission ID）を含むMBMSサービス開始要求メッセージを受信した場合に、MBMSサービスの送信を開始する。【００３９】
＜移動局装置＞
図２は、本実施の形態における移動局装置の一構成例を示す機能ブロック図である。図２に示すように、移動局装置２００は、データ制御部２０１と、DFT-S-OFDM変調部２０２と、無線部２０３と、スケジューリング部２０４と、チャネル推定部２０５と、OFDM復調部２０６と、データ抽出部２０７と、上位層２０８と、を含んで構成されている。【００４０】
また、データ制御部２０１、DFT-S-OFDM変調部２０２、無線部２０３、スケジューリング部２０４、上位層２０８、で送信部を構成し、無線部２０３、スケジューリング部２０４、チャネル推定部２０５、OFDM復調部２０６、データ抽出部２０７、上位層２０８、で受信部を構成している。【００４１】
データ制御部２０１、DFT-S-OFDM変調部２０２、無線部２０３、で上りリンクの物理層の処理を行う。無線部２０３、チャネル推定部２０５、OFDM復調部２０６、データ抽出部２０７、で下りリンクの物理層の処理を行う。【００４２】
データ制御部２０１は、スケジューリング部２０４からトランスポートチャネルおよびスケジューリング情報を受信する。そして、上記スケジューリング情報に基づいて、トランスポートチャネルと、物理層で生成されるチャネルとを、物理チャネルにマッピングする。そして、物理チャネルと、物理層で生成される信号とを、物理リソースにマッピングする。【００４３】
このようにマッピングされた各データは、DFT-S-OFDM変調部２０２へ出力される。【００４４】
DFT-S-OFDM変調部２０２は、データ制御部２０１から入力されたデータに対し、データ変調、DFT（離散フーリエ変換）処理、サブキャリアマッピング、IFFT（逆高速フーリエ変換）処理、CP挿入、フィルタリングなどのDFT-S-OFDM信号処理を行い、DFT-S-OFDM信号を生成して、無線部２０３へ出力する。【００４５】
尚、上りリンクの通信方式は、DFT-S-OFDM等のようなシングルキャリア方式を用いることを想定しているが、代わりにOFDM方式のようなマルチキャリア方式を用いても良い。【００４６】
無線部２０３は、DFT-S-OFDM変調部２０２から入力された変調データを無線周波数にアップコンバートして無線信号を生成し、アンテナ（図示せず）を介して、基地局装置１００に送信する。【００４７】
また、無線部２０３は、基地局装置１００からの下りリンクのデータで変調された無線信号を、アンテナ（図示せず）を介して受信し、ベースバンド信号にダウンコンバートして、受信データを、チャネル推定部２０５およびOFDM復調部２０６に出力する。【００４８】
スケジューリング部２０４は、媒体アクセス制御（MAC）層の処理を行う。スケジューリング部２０４は、論理チャネルとトランスポートチャネルのマッピング、下りリンクおよび上りリンクのスケジューリング（HARQ処理、トランスポートフォーマットの選択など）などを行う。【００４９】
スケジューリング部２０４は、下りリンクのスケジューリングでは、基地局装置１００や上位層２０８からのスケジューリング情報（トランスポートフォーマットやHARQ再送情報など）に基づいて、トランスポートチャネル、物理信号および物理チャネルの受信制御やHARQ再送制御を行う。【００５０】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやHARQ再送情報など）、および、上位層２０８から入力されたスケジューリング情報などに基づいて、上位層２０８から入力された上りリンクの論理チャネルをトランスポートチャネルにマッピングするためのスケジューリング処理を行う。尚、上りリンクのトランスポートフォーマットについては、基地局装置１００から通知された情報を利用する。これらスケジューリング情報は、データ制御部２０１へ出力される。【００５１】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのCQIフィードバック情報や、データ抽出部２０７から入力された巡回冗長検査（CRC）確認結果であるACK/NACKフィードバック情報についても、データ制御部２０１へ出力する。また、スケジューリング部２０４は、データ抽出部２０７から入力された下りリンクで取得した制御データとトランスポートチャネルとを、必要に応じて処理した後、下りリンクの論理チャネルにマッピングし、上位層２０８へ出力する。【００５２】
チャネル推定部２０５は、下りリンクデータの復調のために、下りリンク参照信号（RS）から下りリンクのチャネル状態を推定し、その推定結果をOFDM復調部２０６に出力する。また、チャネル推定部２０５は、基地局装置１００に下りリンクのチャネル状態（無線伝搬路状態）の推定結果を通知するために、下りリンク参照信号（RS）から下りリンクのチャネル状態を推定し、その推定結果を下りリンクチャネル品質指示子（CQI）などに変換し、下りリンクのチャネルフィードバック情報に含めて、スケジューリング部２０４に出力する。【００５３】
OFDM復調部２０６は、チャネル推定部２０５から入力された下りリンクのチャネル状態推定結果に基づいて、無線部２０３から入力された変調データに対して、OFDM復調処理を施し、データ抽出部２０７に出力する。【００５４】
データ抽出部２０７は、OFDM復調部２０６から入力されたデータに対して、巡回冗長検査（CRC）を行い、正誤を確認するとともに、確認結果（ACK/NACKフィードバック情報）をスケジューリング部２０４に出力する。また、データ抽出部２０７は、OFDM復調部２０６から入力されたデータからトランスポートチャネルと物理層の制御データに分離して、スケジューリング部２０４に出力する。分離された制御データには、下りリンクまたは上りリンクのリソース割り当てや、上りリンクのHARQ再送情報などのスケジューリング情報が含まれている。【００５５】
上位層２０８は、パケットデータ統合プロトコル(PDCP）層、無線リンク制御（RLC）層、無線リソース制御（RRC）層の処理を行う。上位層２０８は、無線リソース制御部２０９（第２の制御部とも言う）を有している。さらに、無線リソース制御部２０９は、MBMS制御部２１０を有している。【００５６】
無線リソース制御部２０９は、各種設定情報の管理、システム情報の管理、ページング制御、自局の通信状態の管理、ハンドオーバーなどの移動管理、自局のバッファ状況の管理、ユニキャストおよびマルチキャストベアラの接続設定の管理などを行う。また、無線リソース制御部２０９は、MBMS送信データの受信状態を管理する。【００５７】
MBMS制御部２１０は、SCPTMセルを構成する基地局装置から受信した情報をもとに、MBMSサービスIDとMBMS用短送信識別子（MBMS short transmission ID）とMBMS用グループ識別子（MBMS-RNTI）の対応関係の管理を行う。すなわち、識別情報群（MAC ID（RNTI、移動局識別子（UEID））とも言う）の管理を行う。また、MBMS制御部２１０は、受信を希望するMBMSサービスが送信されていないことを検出した場合に、MBMS用短送信識別子（MBMS short transmission ID）を含むMBMSサービス開始要求メッセージを作成し、基地局装置１００に対して送信する。また、MBMS制御部２１０は、受信を希望するMBMSサービスが送信されていることを検出した場合、対応するMBMS用グループ識別子（MBMS-RNTI）を物理下りリンク制御チャネル（PDCCH）でモニタリングするように設定する。【００５８】
＜チャネル構成＞
次に、EUTRAにおけるチャネルの構成について説明する。図３および図４に示すように、EUTRAのチャネルは、論理チャネル、トランスポートチャネル、物理チャネルに分類される。図３は下りリンクのチャネルを示しており、図４は上りリンクのチャネルを示している。論理チャネルは、媒体アクセス制御（MAC）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。【００５９】
論理チャネルには、報知制御チャネル（BCCH：Broadcast Control Channel）、ページング制御チャネル（PCCH：Paging Control Channel）、共通制御チャネル（CCCH：Common Control Channel）、専用制御チャネル（DCCH：Dedicated Control Channel）、専用トラフィックチャネル（DTCH：Dedicated Traffic Channel）、マルチキャスト制御チャネル（MCCH：Multicast Control Channel）、マルチキャストトラフィックチャネル（MTCH：Multicast Traffic Channel）が含まれる。【００６０】
トランスポートチャネルには、報知チャネル（BCH：Broadcast Channel）、ページングチャネル（PCH：Paging Channel）、下りリンク共用チャネル（DL-SCH：Downlink Shared Channel）、マルチキャストチャネル（MCH：Multicast Channel）、上りリンク共用チャネル（UL-SCH：Uplink Shared Channel）、ランダムアクセスチャネル（RACH：Random Access Channel）が含まれる。【００６１】
物理チャネルには、物理報知チャネル（PBCH：Physical Broadcast Channel）、物理下りリンク制御チャネル（PDCCH：Physical Downlink Control Channel）、物理下りリンク共用チャネル（PDSCH：Physical Downlink Shared Channel）、物理マルチキャストチャネル（PMCH：Physical Multicast Channel）、物理上りリンク共用チャネル（PUSCH：Physical Uplink Shared Channel）、物理ランダムアクセスチャネル（PRACH：Physical Random Access Channel）、物理上りリンク制御チャネル（PUCCH：Physical Uplink Control Channel）、物理制御フォーマット指示チャネル（PCFICH：Physical Control Format Indicator Channel）、物理ハイブリッド自動再送要求指示チャネル（PHICH：Physical Hybrid ARQ Indicator Channel）が含まれる。これを、前述の図２０に示す。【００６２】
まず、論理チャネルについて説明する。報知制御チャネル（BCCH）は、システム制御情報を報知するために使用される下りリンクチャネルである。ページング制御チャネル（PCCH）は、ページング情報を送信するために使用される下りリンクチャネルであり、ネットワークが移動局装置のセル位置を知らないときに使用される。共通制御チャネル（CCCH）は、移動局装置とネットワーク間の制御情報を送信するために使用されるチャネルであり、ネットワークと無線リソース制御（RRC）接続を有していない移動局装置によって使用される。専用制御チャネル（DCCH）は、１対１（point-to-point）の双方向チャネルであり、移動局装置とネットワーク間で個別の制御情報を送信するために利用するチャネルである。専用制御チャネル（DCCH）は、RRC接続を有している移動局装置によって使用される。専用トラフィックチャネル（DTCH）は、１対１（point-to-point）の双方向チャネルであり、１つの移動局装置専用のチャネルであり、ユーザ情報（ユニキャストデータ）の転送のために利用される。【００６３】
マルチキャスト制御チャネル（MCCH）は、ネットワークから移動局装置へMBMS制御情報を１対多（point-to-multipoint）送信するために使用される下りリンクチャネルであり、１つまたは複数のマルチキャストトラフィックチャネル（MTCH）を受信するために利用される。マルチキャストトラフィックチャネル（MTCH）は、ネットワークから移動局装置へトラフィックデータ（MBMS送信データ）を１対多（point-to-multipoint）送信するために使用される下りリンクチャネルである。尚、マルチキャスト制御チャネル（MCCH）およびマルチキャストトラフィックチャネル（MTCH）は、MBMSを受信する移動局装置だけが受信する。【００６４】
次に、トランスポートチャネルについて説明する。報知チャネル（BCH）は、固定かつ事前に定義されたトランスポートフォーマット（送信形態）によって、セル全体に報知される必要がある。下りリンク共用チャネル（DL-SCH）では、HARQ、動的適応無線リンク制御、間欠受信（DRX：Discontinuous Reception）、MBMS送信がサポートされ、セル全体に報知される必要がある。また、下りリンク共用チャネル（DL-SCH）では、ビームフォーミングが利用可能であり、動的リソース割り当ておよび準静的リソース割り当てがサポートされる。ページングチャネル（PCH）では、DRXがサポートされ、セル全体に報知される必要がある。また、ページングチャネル（PCH）は、トラフィックチャネルや他の制御チャネルに対して動的に使用される物理リソース、すなわち物理下りリンク共用チャネル（PDSCH）、にマッピングされる。マルチキャストチャネル（MCH）は、セル全体に報知される必要がある。また、マルチキャストチャネル（MCH）では、複数セルからのMBMS送信のMBSFN（MBMS Single Frequency Network）結合（Combining）や、拡張サイクリックプリフィックス（CP：Cyclic Prefix）を使う時間フレームなど、準静的リソース割り当てがサポートされる。上りリンク共用チャネル（UL-SCH）では、HARQ、動的適応無線リンク制御がサポートされる。また、上りリンク共用チャネル（UL-SCH）では、ビームフォーミングが利用可能であり、動的リソース割り当ておよび準静的リソース割り当てがサポートされる。ランダムアクセスチャネル（RACH）は、限られた制御情報が送信され、衝突リスクがある。【００６５】
次に、物理チャネルについて説明する。物理報知チャネル（PBCH）は、４０ミリ秒間隔で報知チャネル（BCH）をマッピングする。４０ミリ秒のタイミングは、ブラインド検出（blind detection）される（すなわち、タイミング提示のために、明示的なシグナリングを行わない）。また、物理報知チャネル（PBCH）を含むサブフレームは、そのサブフレームだけで復号でき（自己復号可能（self-decodable）であり）、複数回に分割されて送信されない。物理下りリンク制御チャネル（PDCCH）は、下りリンク共用チャネル（PDSCH）のリソース割り当て、下りリンクデータに対するハイブリッド自動再送要求（HARQ）情報、および、上りリンク共用チャネル（PUSCH）リソース割り当てである上りリンク送信許可（上りリンクグラント）を移動局装置に通知するために使用されるチャネルである。物理下りリンク共用チャネル（PDSCH）は、下りリンクデータまたはページング情報を送信するために使用されるチャネルである。物理マルチキャストチャネル（PMCH）は、マルチキャストチャネル（MCH）を送信するために利用するチャネルであり、下りリンク参照信号（RS）、上りリンク参照信号（上りリンク復調用参照信号（DRS）、および／または、上りリンク測定用参照信号（SRS））、物理下りリンク同期信号（Synchronization Signal）が別途配置される。物理上りリンク共用チャネル（PUSCH）は、上りリンクデータを送信するために使用されるチャネルである。物理ランダムアクセスチャネル（PRACH）は、ランダムアクセスプリアンブルを送信するために使用されるチャネルであり、ガードタイムを持つ。物理上りリンク制御チャネル（PUCCH）は、下りリンクチャネル品質指示子（CQI）、スケジューリング要求（SR : Scheduling Request）、下りリンクデータに対するHARQ 肯定応答（ACK）／否定応答（NACK）などを送信するために使用されるチャネルである。物理制御フォーマット指示チャネル（PCFICH）は、物理下りリンク制御チャネル（PDCCH）のために使用されるOFDMシンボル数を移動局装置に通知するために利用するチャネルであり、各サブフレームで送信される。物理ハイブリッド自動再送要求指示チャネル（PHICH）は、上りリンクデータに対するHARQ ACK/NACKを下りリンクで送信するために利用するチャネルである。【００６６】
また、図３および図４には記載していないが、上記以外にも、物理層で生成される信号（物理信号）が存在する。物理信号としては、物理下りリンク同期信号（Synchronization Signal）、下りリンク参照信号（RS）、上りリンク参照信号（上りリンク復調用参照信号（DRS）および上りリンク測定用参照信号（SRS））がある。物理下りリンク同期信号（Synchronization Signal）は、下りリンクの同期取得と、基地局装置のセルIDを同定するために利用される信号である。また、下りリンク参照信号（RS）は、下りリンクデータの復調や、下りリンクチャネル状態の推定に利用される信号である。また、上りリンク復調用参照信号（DRS）は、上りリンクデータの復調に利用される信号である。また、上りリンク測定用参照信号（SRS）は、上りリンクのスケジューリングを行うために利用される信号である。【００６７】
＜チャネルマッピング＞
また、図３に示すように、下りリンクでは、次のようにトランスポートチャネルと物理チャネルとのマッピングが行われる。報知チャネル（BCH）は、物理報知チャネル（PBCH）にマッピングされる。マルチキャストチャネル（MCH）は、物理マルチキャストチャネル（PMCH）にマッピングされる。ページングチャネル（PCH）および下りリンク共用チャネル（DL-SCH）は、物理下りリンク共用チャネル（PDSCH）にマッピングされる。物理下りリンク制御チャネル（PDCCH）、物理ハイブリッド自動再送要求指示チャネル（PHICH）、物理制御フォーマット指示チャネル（PCFICH）は、物理層で生成されるチャネルであり、物理チャネル単独で使用される。【００６８】
一方、上りリンクでは、図４に示すようにトランスポートチャネルと物理チャネルとのマッピングが行われる。上りリンク共用チャネル（UL-SCH）は、物理上りリンク共用チャネル（PUSCH）にマッピングされる。ランダムアクセスチャネル（RACH）は、物理ランダムアクセスチャネル（PRACH）にマッピングされる。物理上りリンク制御チャネル（PUCCH）は、物理層で生成されるチャネルであり、物理チャネル単独で使用される。【００６９】
また、図３に示すように、下りリンクでは、次のように論理チャネルとトランスポートチャネルのマッピングが行われる。ページング制御チャネル（PCCH）は、ページングチャネル（PCH）にマッピングされる。報知制御チャネル（BCCH）は、報知チャネル（BCH）と下りリンク共用チャネル（DL-SCH）とにマッピングされる。共通制御チャネル（CCCH）、専用制御チャネル（DCCH）、専用トラフィックチャネル（DTCH）は、下りリンク共用チャネル（DL-SCH）にマッピングされる。マルチキャスト制御チャネル（MCCH）は、下りリンク共用チャネル（DL-SCH）またはマルチキャストチャネル（MCH）にマッピングされる。マルチキャストトラフィックチャネル（MTCH）は、下りリンク共用チャネル（DL-SCH）またはマルチキャストチャネル（MCH）にマッピングされる。尚、マルチキャスト制御チャネル（MCCH）およびマルチキャストトラフィックチャネル（MTCH）からマルチキャストチャネル（MCH）へのマッピングは、MBSFN送信時に行われる一方、SCPTM送信時は、マルチキャスト制御チャネル（MCCH）およびマルチキャストトラフィックチャネル（MTCH）は下りリンク共用チャネル（DL-SCH）にマッピングされる。【００７０】
一方、図４に示すように、上りリンクでは、次のように論理チャネルとトランスポートチャネルとのマッピングが行われる。共通制御チャネル（CCCH）、専用制御チャネル（DCCH）、専用トラフィックチャネル（DTCH）は、上りリンク共用チャネル（UL-SCH）にマッピングされる。ランダムアクセスチャネル（RACH）は、論理チャネルとマッピングされない。【００７１】
＜無線フレーム構成＞
次に、EUTRAにおけるフレームの構成について説明する。下りリンクのフレーム構成を図６に示し、上りリンクのフレーム構成を図５に示す。【００７２】
図５および図６に示されるように、システムフレーム番号（SFN：System Frame Number）で識別される無線フレームは１０ミリ秒で構成されている。また、１サブフレームは１ミリ秒で構成されており、無線フレームには１０個のサブフレームが含まれる。【００７３】
１サブフレームは２つのスロットに分離される。通常のCP（normal CP）が使用される場合、下りリンクのスロットは７個のOFDMシンボルで構成され、上りリンクのスロットは７個のSC-FDMA（Single Carrier-Frequency Division Multiple Access）シンボル（DFT-S-OFDMシンボル）で構成される。尚、拡張CP（long CPまたはextended CPとも言う）が使用される場合は、下りリンクのスロットは６個のOFDMシンボルで構成され、上りリンクのスロットは６個のSC-FDMAシンボル（DFT-S-OFDMシンボル）で構成される。【００７４】
また、１つのスロットは周波数方向に複数のブロックに分割される。１５kHzのサブキャリア１２本を周波数方向の単位として、１個の物理リソースブロック（PRB）を構成する。物理リソースブロック（PRB）数は、システム帯域幅に応じて、６個から１１０個までサポートされる。下りリンク、上りリンクのリソース割り当ては、時間方向にサブフレーム単位かつ周波数方向に物理リソースブロック（PRB）単位で行われる。すなわち、サブフレーム内の２つのスロットは、１つのリソース割り当て信号で割り当てられる。【００７５】
サブキャリアとOFDMシンボル、または、サブキャリアとSC-FDMAシンボルとで構成される単位をリソースエレメントと呼ぶ。物理層でのリソースマッピング処理では、各リソースエレメントに対して変調シンボルなどがマッピングされる。【００７６】
下りリンクトランスポートチャネルの物理層での処理では、物理下りリンク共用チャネル（PDSCH）に対する２４ビットの巡回冗長検査（CRC：Cyclic Redundancy Check）の付与、チャネルコーディング（伝送路符号化）、物理層HARQ処理、チャネルインターリービング、スクランブリング、変調（QPSK、16QAM、64QAM）、レイヤマッピング、プレコーディング、リソースマッピング、アンテナマッピングなどが行われる。【００７７】
一方、上りリンクトランスポートチャネルの物理層での処理では、物理上りリンク共用チャネル（PUSCH）に対する２４ビットのCRCの付与、チャネルコーディング（伝送路符号化）、物理層HARQ処理、スクランブリング、変調（QPSK、16QAM、64QAM）、リソースマッピング、アンテナマッピングなどが行われる。【００７８】
図６に示されるように、物理下りリンク制御チャネル（PDCCH）および物理ハイブリッド自動再送要求指示チャネル（PHICH）および物理制御フォーマット指示チャネル（PCFICH）は、最初の３OFDMシンボル以内に配置される。物理下りリンク制御チャネル（PDCCH）では、下りリンク共用チャネル（DL-SCH）およびページングチャネル（PCH）に対するトランスポートフォーマット（変調方式、符号化方式、トランスポートブロックサイズなどを規定する）、リソース割り当て、HARQ情報が送信される。また、物理下りリンク制御チャネル（PDCCH）では、上りリンク共用チャネル（UL-SCH）に対するトランスポートフォーマット（変調方式、符号化方式、トランスポートブロックサイズなどを規定する）、リソース割り当て、HARQ情報が送信される。また、複数の物理下りリンク制御チャネル（PDCCH）がサポートされ、移動局装置は、物理下りリンク制御チャネル（PDCCH）のセットをモニタリングする。【００７９】
物理下りリンク制御チャネル（PDCCH）で割り当てられた物理下りリンク共用チャネル（PDSCH）は、物理下りリンク制御チャネル（PDCCH）と同一のサブフレームにマッピングされる。物理下りリンク制御チャネル（PDCCH）で割り当てられた物理上りリンク共用チャネル（PUSCH）は、予め定められた位置のサブフレームにマッピングされる。例えば、物理下りリンク制御チャネル（PDCCH）の下りリンクサブフレーム番号がＮの場合に、Ｎ＋４番の上りリンクサブフレームにマッピングされる。【００８０】
また、物理下りリンク制御チャネル（PDCCH）による上り／下りリンクのリソース割り当てにおいて、移動局装置は、１６ビットの識別情報群（MAC ID（RNTI、移動局識別子（UEID）とも言う））を用いて特定される。すなわち、この１６ビットの識別情報群（MAC ID）が物理下りリンク制御チャネル（PDCCH）に含まれる。尚、MAC IDとは、媒体アクセス制御（MAC）層で生成される識別子である。【００８１】
また、物理報知チャネル（PBCH）、物理下りリンク同期信号（Synchronization Signal）は、システム帯域の中心にある６物理リソースブロック（PRB）分の帯域に配置される。物理下りリンク同期信号（Synchronization Signal）は、１番目（サブフレーム＃０）および５番目（サブフレーム＃４）のサブフレームの各スロットの６番目、７番目のOFDMシンボルで送信される。物理報知チャネル（PBCH）は、１番目（サブフレーム＃０）のサブフレームの１番目のスロット（スロット＃０）の４番目、５番目のOFDMシンボルと２番目のスロット（スロット＃１）の1番目、２番目のOFDMシンボルで送信される。【００８２】
また、下りリンク状態の測定用および下りリンクデータの復調用に使用される下りリンク参照信号（RS）は、各スロットの１番目、２番目、後ろから３番目のOFDMシンボルに配置される。【００８３】
尚、物理マルチキャストチャネル（PMCH）は、MBSFN送信時にのみ使用され、ユニキャストサブフレームとして利用されないサブフレームに配置される。すなわち、物理マルチキャストチャネル（PMCH）は、１番目（サブフレーム＃０）と６番目（サブフレーム＃５）のサブフレーム以外のサブフレームで送信される。【００８４】
一方、図５に示されるように、物理上りリンク共用チャネル（PUSCH）の復調用に使用される上りリンク復調用参照信号（DRS）は、各スロットの４番目のSC-FDMAシンボルで送信される。また、上りリンク状態の測定用に使用される上りリンク測定用参照信号（SRS）は、サブフレームの先頭のSC-FDMAシンボルで送信される。尚、物理上りリンク制御チャネル（PUCCH）の復調用に使用される上りリンク復調用参照信号（DRS）は、物理上りリンク制御チャネル（PUCCH）のフォーマットごとに定義され、各スロットの３番目および４番目および５番目、または、各スロットの２番目および６番目のSC-FDMAシンボルで送信される。【００８５】
また、物理ランダムアクセスチャネル（PRACH）は、周波数方向に６個の物理リソースブロック（PRB）分の帯域幅、時間方向に1サブフレームで構成される。物理ランダムアクセスチャネル（PRACH）は、移動局装置から基地局装置に様々な理由で要求（上りリンクリソースの要求、上りリンク同期の要求、下りリンクデータ送信再開要求、ハンドオーバー要求、接続設定要求、再接続要求、MBMSサービス要求など）を行うために送信される。【００８６】
物理上りリンク制御チャネル（PUCCH）は、システム帯域の両端に配置され、物理リソースブロック単位で構成される。物理上りリンク制御チャネル（PUCCH）では、スロット間でシステム帯域の両端が交互に使用されるように周波数ホッピングが行われる。【００８７】
物理上りリンク共用チャネル（PUSCH）は、物理上りリンク制御チャネル（PUCCH）や物理ランダムアクセスチャネル（PRACH）で利用していないリソースに配置される。【００８８】
＜MBMS-RNTI、MBMS short transmission IDについて＞
MBMSサービスIDは、移動通信システムまたはオペレータで提供されるMBMSサービスを識別するための識別子である。ユーザは、MBMSサービスIDからMBMSサービスを特定することが可能であり、視聴したいMBMSサービスを選択することができる。【００８９】
MBMS用短送信識別子（MBMS short transmission ID）は、SCPTMセル内で提供されるMBMSサービスを識別するための識別子である。SCPTMセル内で提供可能なMBMSサービスの数は、セル固有またはシステム固有である。MBMSサービスのMBMS用短送信識別子（MBMS short transmission ID）の最大値が、SCPTMセル内で提供可能なMBMSサービスの数となる。すなわち、SCPTMセル内で現在提供されているMBMSサービスの数は、SCPTMセル内で提供可能なMBMSサービスの数以下である。【００９０】
MBMS用グループ識別子（MBMS-RNTI）は、MBMSサービスを含む下りリンクリソース（物理下りリンク共用チャネル（PDSCH））のスケジューリングを行う際に、受信するべき移動局装置を指定する。MBMS用グループ識別子（MBMS-RNTI）は、物理下りリンク制御チャネル（PDCCH）に配置される１６ビットの識別情報群（MAC ID）の一部を使用する。これにより、ユニキャストデータの送受信時に移動局装置を指定するためのセル無線網臨時識別子（C-RNTI）を用いたリソース割り当ての信号と、マルチキャストデータ（MBMSサービス）を指定するためにMBMS用グループ識別子（MBMS-RNTI）を用いたリソース割り当ての信号を共用できる。【００９１】
＜MBMS short transmission IDとMBMS-RNTIのマッピングについて＞
MBMS用短送信識別子（MBMS short transmission ID）に対応したMBMS用グループ識別子（MBMS-RNTI）のマッピング方法として、以下の４つの方法がある。【００９２】
尚、マルチメディアブロードキャストマルチキャストサービス（MBMS）を提供する移動通信システムにおいて、基地局装置と通信を行う移動局装置は、セル内で送信されるMBMSサービスを識別するMBMS用短送信識別子（MBMS short transmission ID）を、マルチキャストされる移動局のグループを識別するMBMS用グループ識別子（MBMS-RNTI）にマッピングする第１の制御部を備えている。【００９３】
また、MBMS用短送信識別子（MBMS short transmission ID）は、移動通信システムで提供されるMBMSサービスとマッピングされている。【００９４】
また、第１のマッピング方法を利用する移動局装置は、MBMS用グループ識別子（MBMS-RNTI）とMBMS用短送信識別子（MBMS short transmission ID）のマッピングを、予め定められた情報をもとに特定する。【００９５】
また、第２、第３、第４のマッピング情報を利用する移動局装置は、MBMS用グループ識別子（MBMS-RNTI）とMBMS用短送信識別子（MBMS short transmission ID）のマッピングを、基地局装置から通知される情報をもとに特定する。【００９６】
また、第２のマッピング情報を利用する移動局装置は、MBMS用グループ識別子（MBMS-RNTI）とMBMS用短送信識別子（MBMS short transmission ID）のマッピングを、基地局装置から通知されるMBMS用短送信識別子（MBMS short transmission ID）とMBMSグループ識別子（MBMS-RNTI）のマッピングを示す情報におけるMBMSグループ識別子（MBMS-RNTI）の配置位置をもとに特定する。【００９７】
また、第３のマッピング情報を利用する移動局装置は、基地局装置から通知されるMBMS用短送信識別子（MBMS short transmission ID）とMBMSグループ識別子（MBMS-RNTI）のマッピングを示す情報に、固定識別子（base ID）と可変識別子（flexible ID）を含み、MBMS用グループ識別子（MBMS-RNTI）とMBMS用短送信識別子（MBMS short transmission ID）のマッピングを、固定識別子（base ID）と可変識別子（flexible ID）をもとに特定する。【００９８】
また、第４のマッピング情報を利用する移動局装置は、基地局装置から通知されるMBMS用短送信識別子（MBMS short transmission ID）とMBMSグループ識別子（MBMS-RNTI）のマッピングを示す情報に、固定識別子（base ID）を含み、MBMS用グループ識別子（MBMS-RNTI）とMBMS用短送信識別子（MBMS short transmission ID）のマッピングを、固定識別子（base ID）をもとに特定する。【００９９】
また、第２、第３、第４のマッピング情報を利用する場合、MBMS用グループ識別子（MBMS-RNTI）は、識別情報群（MAC ID）のうち、ユニキャストデータの送受信時に移動局装置を指定するために利用するセル無線網臨時識別子（C-RNTI）の中から割当てられる。【０１００】
また、移動局装置は、基地局装置に対して、受信を希望するMBMSサービスの送信を要求するために、MBMS用短送信識別子（MBMS short transmission ID）を含むMBMSサービス開始要求メッセージを送信する。【０１０１】
また、MBMSサービスのスケジューリングでは、前記MBMS用グループ識別子（MBMS-RNTI）が物理下りリンク制御チャネル（PDCCH）に含められる。【０１０２】
まず、１つの方法は、MBMS用短送信識別子（MBMS short transmission ID）に対応したMBMS用グループ識別子（MBMS-RNTI）を仕様化する方法である（第１のマッピング方法）。この場合、基地局装置は、移動局装置に対して、MBMS関連情報において、MBMS用短送信識別子（MBMS short transmission ID）とMBMSサービスIDのマッピング情報とを送信する。このマッピング関係を陽に示した例を図７に示し、暗に示した例を図８に示す。【０１０３】
図７では、MBMS用短送信識別子（MBMS short transmission ID）とMBMSサービスIDとが、１対１となるように、明示的に示される形で送信される。すなわち、図７では、MBMS用短送信識別子（MBMS short transmission ID）１に対応するMBMSサービスIDは１０１であって、送信フラグ（flag）が１であることから、このMBMSサービスは現在提供されていることを示す。MBMS用短送信識別子（MBMS short transmission ID）２に対応するMBMSサービスIDは１０２であって、送信フラグ（flag）が１であるため、このMBMSサービスは現在提供されていることを示す。MBMS用短送信識別子（MBMS short transmission ID）３に対応するMBMSサービスIDは１０３であって、送信フラグ（flag）が０であるため、このMBMSサービスは提供可能であるが、現在送信されていないことを示す。MBMS用短送信識別子（MBMS short transmission ID）４に対応するMBMSサービスIDは１０４であって、送信フラグ（flag）が１であるため、このMBMSサービスは現在提供されていることを示す。また、MBMS用短送信識別子（MBMS short transmission ID）５から８に対応するMBMSサービスIDはNULLであって、送信フラグ（flag）が０であるため、上記４つのMBMSサービス以外に、あと４つのMBMSサービスを提供することが可能であることを示す。【０１０４】
一方、図８では、図７で示される情報と同一の情報を持つが、明示的に送信されるのは、MBMS用短送信識別子（MBMS short transmission ID）とMBMSサービスID のうち、MBMSサービスIDだけであるが、MBMS用短送信識別子（MBMS short transmission ID）順にMBMSサービスIDが並ぶ形で送信される例が示されている。この場合には、MBMS用短送信識別子（MBMS short transmission ID）は、このSCPTMセルで現在提供されているMBMSサービスIDの通知用の位置によって判断することができる。【０１０５】
図９は、上記の第１のマッピング方法において、物理下りリンク制御チャネル（PDCCH）にマッピングされる識別情報群（MAC ID（RNTI、移動局識別子（UEID）とも言う））の空間を示す概念図である。図９における識別情報群（MAC ID）とは、基地局装置と移動局装置との間で通信を行うために利用する識別子の総称であり、１６ビット長で構成され、基地局装置が移動局装置に対して割り当てるものである。【０１０６】
基地局装置の無線リソース制御部１０９（MBMS制御部１１０含む）（図１）は、図９に示すように、セル無線網臨時識別子（C-RNTI：Cell - Radio Network Temporary Identity）、ランダムアクセス無線網臨時識別子（RA-RNTI：Random Access - Radio Network Temporary Identity）、ページング無線網臨時識別子（P-RNTI：Paging - Radio Network Temporary Identity）、システム情報無線網臨時識別子（SI-RNTI：System Information - Radio Network Temporary Identity）、システム情報変更無線網臨時識別子（SC-RNTI：System information Change - Radio Network Temporary Identity）、マルチキャスト制御チャネル識別子（MCCH-RNTI）、MBMS用グループ識別子（MBMS-RNTI）など、用途別に１６ビットの識別情報群（MAC ID）を管理するとともに、どの移動局（群）に対して識別情報群（MAC ID）を割当てたかを管理している。【０１０７】
尚、セル無線網臨時識別子（C-RNTI）は、基地局装置と移動局装置との間で個別に通信する際に幅広く利用される識別子であり、移動局装置毎に異なる識別子が割当てられる。ランダムアクセス無線網臨時識別子（RA-RNTI）は、ランダムアクセスに利用される識別子であり、ランダムアクセス応答であることを示すために利用される。ページング無線網臨時識別子（P-RNTI）は、アイドル状態の移動局装置（群）に対して着呼を行うために利用する識別子である。システム情報無線網臨時識別子（SI-RNTI）は、基地局装置が移動局装置（群）に対してシステム情報（報知制御チャネル（BCCH）の内容）を報知する際に利用される識別子である。システム情報変更無線網臨時識別子（SC-RNTI）は、基地局装置が移動局装置（群）に対してシステム情報（報知制御チャネル（BCCH）の内容）の変更を報知する際に利用される識別子である。【０１０８】
また、図９に示すように、ランダムアクセス無線網臨時識別子（RA-RNTI）としては１６進数で0000からある値（XXXXとする）までが予約され、セル無線網臨時識別子（C-RNTI）としては１６進数でXXXX+1からFFF2までが予約され、ページング無線網臨時識別子（P-RNTI）としては１６進数でFFFDが予約され、システム情報無線網臨時識別子（SI-RNTI）としては１６進数でFFFEが予約され、システム情報変更無線網臨時識別子（SC-RNTI）として１６進数でFFFFが予約されている。また、本実施の形態で利用するMBMS用グループ識別子（MBMS-RNTI）としては、１６進数でFFF3からFFFAまでが予約され、マルチキャスト制御チャネル識別子（MCCH-RNTI）としては１６進数でFFFCが予約されている。尚、上記いずれにも使用しない１６進数でFFFBについては、Reserved領域として残している状態を示している。ここで、Reserved（領域）とは、将来の使用を考慮して、使用しないで残してある領域を示す。【０１０９】
ここで、マルチキャスト制御チャネル識別子（MCCH-RNTI）とMBMS用グループ識別子（MBMS-RNTI）とは、本実施の形態で利用される識別子であり、前述のように、マルチキャスト制御チャネル識別子（MCCH-RNTI）は、基地局装置がMBMSサービスに興味を抱く移動局装置（群）に対して、マルチキャスト制御チャネル（MCCH）を報知するために利用する識別子である。また、MBMS用グループ識別子（MBMS-RNTI）は、MBMSサービスを送信する際に、移動局装置グループの識別、あるいは、MBMSサービスのリソースを指定する（MBMSサービスを含む物理下りリンク共用チャネル（PDSCH）の位置を示す）ために利用される識別子である。図９に示される第１のマッピング方法では、MBMS用グループ識別子（MBMS-RNTI）は、仕様によって固定的に予約されている識別子であって、MBMS用短送信識別子（MBMS short transmission ID）に対応づけられている。すなわち、移動局装置は、予め、MBMS用短送信識別子（MBMS short transmission ID）に対応づけられたMBMS用グループ識別子（MBMS-RNTI）のマッピングについて、保持している。【０１１０】
すなわち、SCPTMセル内で提供可能なMBMSサービスの個数だけMBMS用グループ識別子（MBMS-RNTI）およびMBMS用短送信識別子（MBMS short transmission ID）が確保され、MBMS用グループ識別子（MBMS-RNTI）とMBMS用短送信識別子（MBMS short transmission ID）とMBMSサービスIDは、それぞれ１対１に対応している。例えば、図１１に示すように、SCPTMセル内で（MBMSサービスID１０１から１０４という）４種類のMBMSサービスが提供される場合、８個のMBMS用グループ識別子（MBMS-RNTI）と３ビットのMBMS用短送信識別子（MBMS short transmission ID）が確保される。そして、図１１では、MBMSサービスID１０１に対応するMBMS用短送信識別子（MBMS short transmission ID）は１番であり、さらに、MBMS用短送信識別子（MBMS short transmission ID）１番に対応するMBMS用グループ識別子（MBMS-RNTI）は１６進数でFFF3であることが示されている。同様に、MBMS用短送信識別子（MBMS short transmission ID）２番に対応するMBMSサービスIDは１０２で、MBMS用グループ識別子（MBMS-RNTI）は１６進数でFFF4である。MBMS用短送信識別子（MBMS short transmission ID）３番に対応するMBMSサービスIDは１０３で、MBMS用グループ識別子（MBMS-RNTI）は１６進数でFFF5である。MBMS用短送信識別子（MBMS short transmission ID）４番に対応するMBMSサービスIDは１０４で、MBMS用グループ識別子（MBMS-RNTI）は１６進数でFFF6である。また、MBMS用短送信識別子（MBMS short transmission ID）５番から８番に対応するMBMSサービスIDは割当てられていない（NULLである）が、MBMS用グループ識別子（MBMS-RNTI）は、それぞれ、１６進数でFFF7からFFFAが割当てられている。これは、後述の第２のマッピング方法や第３のマッピング方法と異なり、MBMS用グループ識別子（MBMS-RNTI）の割り当てが、仕様によって固定的に予約されており、MBMSサービスの提供を開始するときに割当てるわけではないためであり、まだ提供されていないMBMSサービスに対しても、MBMS用グループ識別子（MBMS-RNTI）が割当てられている。【０１１１】
以上のように、第１のマッピング方法では、MBMS用グループ識別子（MBMS-RNTI）は、仕様によって固定的に予約されているため、後述の第２のマッピング方法や第３のマッピング方法に比べ、基地局装置が移動局装置に対して送信する情報量が少ない、という特徴がある。【０１１２】
もう１つの方法は、MBMS用短送信識別子（MBMS short transmission ID）に対応したMBMS用グループ識別子（MBMS-RNTI）を報知する方法である（第２のマッピング方法）。この場合、基地局装置は、移動局装置に対して、MBMS関連情報において、MBMS用短送信識別子（MBMS short transmission ID）とMBMSサービスIDのマッピング情報とを送信し、さらに、MBMS用短送信識別子（MBMS short transmission ID）とMBMS用グループ識別子（MBMS-RNTI）とのマッピング情報を送信する。MBMS用短送信識別子（MBMS short transmission ID）とMBMSサービスIDのマッピング情報とについては、例えば、第１のマッピング方法で使用した図８あるいは図７に示される送信形式で送信される。【０１１３】
次に、第２のマッピング方法では、現在提供されているMBMSサービスの個数だけMBMS用グループ識別子（MBMS-RNTI）が確保され、SCPTMセル内で提供可能なMBMSサービスの個数だけMBMS用短送信識別子（MBMS short transmission ID）が確保される。MBMS用グループ識別子（MBMS-RNTI）とMBMS用短送信識別子（MBMS short transmission ID）とMBMSサービスIDとは、それぞれ１対１に対応している。例えば、図１６に示すように、SCPTMセル内で（MBMSサービスID１０１から１０４という）４種類のMBMSサービスが提供される場合、４個のMBMS用グループ識別子（MBMS-RNTI）と３ビットのMBMS用短送信識別子（MBMS short transmission ID）とが確保される。そして、図１６では、MBMSサービスID１０１に対応するMBMS用短送信識別子（MBMS short transmission ID）は１番であり、さらに、MBMS用短送信識別子（MBMS short transmission ID）１番に対応するMBMS用グループ識別子（MBMS-RNTI）は、１６進数でFEDCであることを示している。同様に、MBMS用短送信識別子（MBMS short transmission ID）２番に対応するMBMSサービスIDは１０２で、MBMS用グループ識別子（MBMS-RNTI）は１６進数でFFF2である。MBMS用短送信識別子（MBMS short transmission ID）３番に対応するMBMSサービスIDは１０３で、MBMS用グループ識別子（MBMS-RNTI）は１６進数でEDCBである。また、MBMS用短送信識別子（MBMS short transmission ID）４番に対応するMBMSサービスIDは１０４で、MBMS用グループ識別子（MBMS-RNTI）は１６進数でB739である。MBMS用短送信識別子（MBMS short transmission ID）５番から８番に対応するMBMSサービスIDは割当てられておらず（NULLであり）、MBMS用グループ識別子（MBMS-RNTI）も割当てられていない。これは、第２のマッピング方法では、MBMS用グループ識別子（MBMS-RNTI）の割り当ては、MBMSサービスの提供を開始するときに割当てるためであり、まだ提供されていないMBMSサービスに対して、MBMS用グループ識別子（MBMS-RNTI）が割当てられていない。【０１１４】
そして、MBMS用短送信識別子（MBMS short transmission ID）とMBMS用グループ識別子（MBMS-RNTI）とのマッピング情報については、例えば、図１２に示される送信形式で送信される。図１２は、MBMS用短送信識別子（MBMS short transmission ID）１番に対応するMBMS用グループ識別子（MBMS-RNTI）は、１６進数でFEDCであることを示す。尚、図１２に示される情報は、図１６から抽出された情報である。【０１１５】
図１０は、第２のマッピング方法において、物理下りリンク制御チャネル（PDCCH）にマッピングされる識別情報群（MAC ID）の空間を表す概念図である。基地局装置の無線リソース制御部１０９（MBMS制御部１１０含む）は、図１０に示すように、セル無線網臨時識別子（C-RNTI）、ランダムアクセス無線網臨時識別子（RA-RNTI）、ページング無線網臨時識別子（P-RNTI）、システム情報無線網臨時識別子（SI-RNTI）、システム情報変更無線網臨時識別子（SC-RNTI）、マルチキャスト制御チャネル識別子（MCCH-RNTI）、MBMS用グループ識別子（MBMS-RNTI）など、用途別に識別情報群（MAC ID）を管理すると同時に、どの移動局（群）に対して識別情報群（MAC ID）を割当てたかを管理している。【０１１６】
また、図１０に示すように、ランダムアクセス無線網臨時識別子（RA-RNTI）としては１６進数で0000からある値（XXXXとする）までが予約され、セル無線網臨時識別子（C-RNTI）としては１６進数でXXXX+1からFFF2までが予約され、ページング無線網臨時識別子（P-RNTI）としては１６進数でFFFDが予約され、システム情報無線網臨時識別子（SI-RNTI）としては１６進数でFFFEが予約され、システム情報変更無線網臨時識別子（SC-RNTI）として１６進数でFFFFが予約されている。【０１１７】
また、本実施の形態において利用されるMBMS用グループ識別子（MBMS-RNTI）としては、セル無線網臨時識別子（C-RNTI）の領域の一部を利用する。マルチキャスト制御チャネル識別子（MCCH-RNTI）としては１６進数でFFFCが予約されている。尚、上記いずれにも使用しない１６進数でFFF3からFFFBについては、Reserved領域として残している状態を示している。【０１１８】
このように、第２のマッピング方法では、第１のマッピング方法のようにMBMS用グループ識別子（MBMS-RNTI）を仕様によって固定的に割当てることなく、セル無線網臨時識別子（C-RNTI）の領域内から、自由に選択することが可能である。また、第２のマッピング方法を利用する場合、一定時間が経過した後、MBMS用グループ識別子（MBMS-RNTI）として割当てている値（FEDC、FFF2、EDCB、B739）を、セル無線網臨時識別子（C-RNTI）として割当てた場合には、セル無線網臨時識別子（C-RNTI）内で使用されていない値を、MBMS用グループ識別子（MBMS-RNTI）として割当てることができる。【０１１９】
もう１つの方法（第３のマッピング方法）は、MBMS用短送信識別子（MBMS short transmission ID）に対応したMBMS用グループ識別子（MBMS-RNTI）を特定可能な情報を報知する方法である。この場合、基地局装置は、移動局装置に対して、MBMS関連情報において、MBMS用短送信識別子（MBMS short transmission ID）とMBMSサービスIDのマッピング情報とを送信し、さらに、MBMS用短送信識別子（MBMS short transmission ID）と可変識別子（flexible ID）とのマッピング情報および固定識別子（base ID）を送信する。MBMS用短送信識別子（MBMS short transmission ID）とMBMSサービスIDとのマッピング情報については、例えば、第１のマッピング方法で使用した図８あるいは図７に示される送信形式で送信される。【０１２０】
また、第２のマッピング方法と同様に、第３のマッピング方法でも、現在提供されているMBMSサービスの個数だけMBMS用グループ識別子（MBMS-RNTI）が確保され、SCPTMセル内で提供可能なMBMSサービスの個数だけMBMS用短送信識別子（MBMS short transmission ID）が確保される。MBMS用グループ識別子（MBMS-RNTI）とMBMS用短送信識別子（MBMS short transmission ID）とMBMSサービスIDは、それぞれ１対１に対応している。例えば、図１３（ａ）のように、SCPTMセル内で（MBMSサービスID１０１から１０４という）４種類のMBMSサービスが提供される場合に、４個のMBMS用グループ識別子（MBMS-RNTI）と３ビット（８個）のMBMS用短送信識別子（MBMS short transmission ID）が確保される。そして、図１３（ａ）では、MBMSサービスID１０１に対応するMBMS用短送信識別子（MBMS short transmission ID）は１番であり、さらに、MBMS用短送信識別子（MBMS short transmission ID）１番に対応するMBMS用グループ識別子（MBMS-RNTI）は、１６進数でFEDCであることを示している。同様に、MBMS用短送信識別子（MBMS short transmission ID）２番に対応するMBMSサービスIDは１０２で、MBMS用グループ識別子（MBMS-RNTI）は１６進数でFEDBである。MBMS用短送信識別子（MBMS short transmission ID）３番に対応するMBMSサービスIDは１０３で、MBMS用グループ識別子（MBMS-RNTI）は１６進数でFEDDである。また、MBMS用短送信識別子（MBMS short transmission ID）４番に対応するMBMSサービスIDは１０４で、MBMS用グループ識別子（MBMS-RNTI）は１６進数でFEDAである。MBMS用短送信識別子（MBMS short transmission ID）５番から８番に対応するMBMSサービスIDは割当てられておらず（NULLであり）、MBMS用グループ識別子（MBMS-RNTI）も割当てられていない。これは、第２のマッピング方法と同様に、MBMS用グループ識別子（MBMS-RNTI）の割り当ては、MBMSサービスの提供を開始するときに割当てるためであり、まだ提供されていないMBMSサービスに対して、MBMS用グループ識別子（MBMS-RNTI）が割当てられていない。【０１２１】
尚、第３のマッピング方法では、第２のマッピング方法と同様に、第１のマッピング方法に比べてMBMS用グループ識別子（MBMS-RNTI）の柔軟性を高めるため、MBMS用グループ識別子（MBMS-RNTI）は、固定識別子（base ID）と可変識別子（flexible ID）との加算によって生成される。ここで、固定識別子（base ID）とは、MBMS用グループ識別子（MBMS-RNTI）を算出するための基準となる１６ビットの識別子である。また、可変識別子（flexible ID）とは、MBMS用グループ識別子（MBMS-RNTI）の柔軟性を高めるために利用される識別子であり、正または負の値を取りうる４ビットの識別子である。尚、可変識別子（flexible ID）の長さとしては、４ビット以外であっても良い。また、スケジューリング期間（MBMS関連情報で通知した情報が有効な期間）が経過したとき、可変識別子（flexible ID）の値を変更することができる。【０１２２】
尚、図１３（ｂ）に、固定識別子（base ID）としてFEDC（１６進表記）が設定されている場合を示す。また、可変識別子（flexible ID）は、MBMS用グループ識別子（MBMS-RNTI）との差分である。また、物理下りリンク制御チャネル（PDCCH）にマッピングされる識別情報群（MAC ID）の空間を表す概念図については、第２のマッピング方法と同様に、図１０を用いるものとする。【０１２３】
尚、MBMS用短送信識別子（MBMS short transmission ID）と可変識別子（flexible ID）とのマッピング情報および固定識別子（base ID）については、例えば、図１４に示される送信形式で送信される。図１４は、固定識別子（base ID）はFEDC（１６進表記）であり、MBMS用短送信識別子（MBMS short transmission ID）１番に対応する可変識別子（flexible ID）は0であり、MBMS用短送信識別子（MBMS short transmission ID）２番に対応する可変識別子（flexible ID）は−1であり、MBMS用短送信識別子（MBMS short transmission ID）３番に対応する可変識別子（flexible ID）は＋1であり、MBMS用短送信識別子（MBMS short transmission ID）４番に対応する可変識別子（flexible ID）は−2であることを示している。【０１２４】
これを受信した移動局装置２００は、各MBMS用短送信識別子（MBMS short transmission ID）に対応するMBMS用グループ識別子（MBMS-RNTI）算出のため、固定識別子（base ID）と、各MBMS用短送信識別子（MBMS short transmission ID）に対応する可変識別子（flexible ID）と、の加算を行う。すなわち、MBMS用短送信識別子（MBMS short transmission ID）１番に対応するMBMS用グループ識別子（MBMS-RNTI）は１６進数でFEDCであり、MBMS用短送信識別子（MBMS short transmission ID）２番に対応するMBMS用グループ識別子（MBMS-RNTI）は１６進数でFEDBであり、MBMS用短送信識別子（MBMS short transmission ID）３番に対応するMBMS用グループ識別子（MBMS-RNTI）は１６進数でFEDDであり、MBMS用短送信識別子（MBMS short transmission ID）４番に対応するMBMS用グループ識別子（MBMS-RNTI）は１６進数でFEDAと算出する。【０１２５】
このように、固定識別子（base ID）と可変識別子（flexible ID）とを加算した値をMBMS用グループ識別子（MBMS-RNTI）として設定し、セル無線網臨時識別子（C-RNTI）の空間（飛び飛びに開いている場合も含む）に当てはめることにより、MBMS用グループ識別子（MBMS-RNTI）が仕様によって固定的に予約される第１のマッピング方法よりも、MBMS用グループ識別子（MBMS-RNTI）の柔軟性を高めることが出来る。さらに第２のマッピング方法では、現在提供されている全てのMBMSサービスに対してMBMS用グループ識別子（MBMS-RNTI）が報知されるが、第３のマッピング方法では、１６ビットの固定識別子（base ID）１つと４ビットの可変識別子（flexible ID）を現在提供されているなMBMSサービスの個数分報知すればよいため、情報量の削減が可能となる。例えば、第２のマッピング方法を用いた図１２では、６４ビット（１６ビットが４つ）の情報が移動局装置に対して報知されるが、第３のマッピング方法を用いた図１４では、３２ビット（base ID：１６ビットと、flexible ID：４ビットが４つ）の情報が報知されるため、情報量が削減される。【０１２６】
また、もう１つの方法（第４のマッピング方法）は、基地局装置からは第３のマッピング方法で利用した固定識別子（base ID）を送信することで、MBMS用短送信識別子（MBMS short transmission ID）に対応したMBMS用グループ識別子（MBMS-RNTI）を特定する方法である。【０１２７】
この場合、基地局装置は、移動局装置に対して、MBMS関連情報において、MBMS用短送信識別子（MBMS short transmission ID）とMBMSサービスIDのマッピング情報とを送信し、さらに、固定識別子（base ID）を送信する。MBMS用短送信識別子（MBMS short transmission ID）とMBMSサービスIDとのマッピング情報については、例えば、第１のマッピング方法で使用した図８あるいは図７に示される送信形式で送信される。【０１２８】
また、第２および第３のマッピング方法と同様に、第４のマッピング方法でも、現在提供されているMBMSサービスの個数だけMBMS用グループ識別子（MBMS-RNTI）が確保され、SCPTMセル内で提供可能なMBMSサービスの個数だけMBMS用短送信識別子（MBMS short transmission ID）が確保される。MBMS用グループ識別子（MBMS-RNTI）とMBMS用短送信識別子（MBMS short transmission ID）とMBMSサービスIDは、それぞれ１対１に対応している。例えば、図２１（ａ）に示すように、SCPTMセル内で（MBMSサービスID１０１から１０４という）４種類のMBMSサービスが提供される場合に、４個のMBMS用グループ識別子（MBMS-RNTI）と３ビット（８個）のMBMS用短送信識別子（MBMS short transmission ID）が確保される。そして、図２１（ａ）では、MBMSサービスID１０１に対応するMBMS用短送信識別子（MBMS short transmission ID）は１番であり、さらに、MBMS用短送信識別子（MBMS short transmission ID）１番に対応するMBMS用グループ識別子（MBMS-RNTI）は、１６進数でFEDCであることを示している。同様に、MBMS用短送信識別子（MBMS short transmission ID）２番に対応するMBMSサービスIDは１０２で、MBMS用グループ識別子（MBMS-RNTI）は１６進数でFEDDである。MBMS用短送信識別子（MBMS short transmission ID）３番に対応するMBMSサービスIDは１０３で、MBMS用グループ識別子（MBMS-RNTI）は１６進数でFEDEである。また、MBMS用短送信識別子（MBMS short transmission ID）４番に対応するMBMSサービスIDは１０４で、MBMS用グループ識別子（MBMS-RNTI）は１６進数でFEDFである。MBMS用短送信識別子（MBMS short transmission ID）５番から８番に対応するMBMSサービスIDは割当てられておらず（NULLであり）、MBMS用グループ識別子（MBMS-RNTI）も割当てられていない。これは、第２および第３のマッピング方法と同様に、MBMS用グループ識別子（MBMS-RNTI）の割り当ては、MBMSサービスの提供を開始するときに割当てるためであり、まだ提供されていないMBMSサービスに対して、MBMS用グループ識別子（MBMS-RNTI）が割当てられていない。【０１２９】
尚、第４のマッピング方法では、第２および第３のマッピング方法と同様に、第１のマッピング方法に比べてMBMS用グループ識別子（MBMS-RNTI）の柔軟性を高めるため、MBMS用グループ識別子（MBMS-RNTI）は、固定識別子（base ID）をもとに生成される。ここで、固定識別子（base ID）とは、MBMS用グループ識別子（MBMS-RNTI）を算出するための基準となる１６ビットの識別子である。また、第３のマッピング方法で利用した可変識別子（flexible ID）については、MBMS用短送信識別子（MBMS short transmission ID）に対して固定の値とし、例えば、可変識別子（flexible ID）は、MBMS用短送信識別子（MBMS short transmission ID）と共通の値とすることができる。【０１３０】
尚、図２１（ｂ）は、固定識別子（base ID）としてFEDB（１６進表記）が設定されている場合を示す図である。また、物理下りリンク制御チャネル（PDCCH）にマッピングされる識別情報群（MAC ID）の空間を表す概念図については、第２および第３のマッピング方法と同様に、図１０を用いるものとする。【０１３１】
尚、固定識別子（base ID）については、例えば、図２２に示される送信形式で送信される。図２２は、固定識別子（base ID）としてFEDB（１６進表記）が送られていることを示している。【０１３２】
これを受信した移動局装置２００は、各MBMS用短送信識別子（MBMS short transmission ID）に対応するMBMS用グループ識別子（MBMS-RNTI）算出のため、固定識別子（base ID）と、各MBMS用短送信識別子（MBMS short transmission ID）との加算（固定識別子（base ID）と、各MBMS用短送信識別子（MBMS short transmission ID）に対応付けられた固定値との加算）を行う。すなわち、MBMS用短送信識別子（MBMS short transmission ID）１番に対応するMBMS用グループ識別子（MBMS-RNTI）は１６進数でFEDCであり、MBMS用短送信識別子（MBMS short transmission ID）２番に対応するMBMS用グループ識別子（MBMS-RNTI）は１６進数でFEDDであり、MBMS用短送信識別子（MBMS short transmission ID）３番に対応するMBMS用グループ識別子（MBMS-RNTI）は１６進数でFEDEであり、MBMS用短送信識別子（MBMS short transmission ID）４番に対応するMBMS用グループ識別子（MBMS-RNTI）は１６進数でFEDFと算出する。【０１３３】
このように、固定識別子（base ID）とMBMS用短送信識別子（MBMS short transmission ID）とを加算した値をMBMS用グループ識別子（MBMS-RNTI）として設定し、セル無線網臨時識別子（C-RNTI）の空間に当てはめることにより、MBMS用グループ識別子（MBMS-RNTI）が仕様によって固定的に予約される第１のマッピング方法よりも、MBMS用グループ識別子（MBMS-RNTI）の柔軟性を高めることが出来る。さらに第２のマッピング方法では、現在提供されている全てのMBMSサービスに対してMBMS用グループ識別子（MBMS-RNTI）が報知されるが、第４のマッピング方法では、１６ビットの固定識別子（base ID）１つを報知すればよいため、情報量の削減が可能となる。例えば、第２のマッピング方法を用いた図１２では、６４ビット（１６ビットが４つ）の情報が移動局装置に対して報知される。第３のマッピング方法を用いた図１４では、３２ビット（base ID：１６ビットと、flexible ID：４ビットが４つ）の情報が報知される。さらに第４のマッピング方法を用いた図２１では、１６ビット（base ID：１６ビット）の情報のみが報知されるため、第２および第３のマッピング方法を用いた場合よりも、さらに情報量が削減される。【０１３４】
＜SCPTMセルでのMBMSサービス（MBMS送信データ）送信手順＞
図１５は、SCPTMセルを構成する基地局装置１００（無線リソース制御部１０９（（MBMS制御部１１０含む）））における送信手順を示すフローチャート図である。この処理手順は、基地局装置１００が、MBMSサービスの送信を開始する場合、あるいは、移動局装置２００からMBMS用短送信識別子（MBMS short transmission ID）を含むMBMSサービス開始要求メッセージを受信した場合に、開始される（ｓｔａｒｔ）。【０１３５】
SCPTMセルにおいて、MBMSサービス（MBMS送信データ）を送信する際、基地局装置１００は、報知制御チャネル（BCCH）、マルチキャスト制御チャネル（MCCH）、マルチキャストトラフィックチャネル（MTCH）の順に送信する。【０１３６】
SCPTMセルを構成する基地局装置１００は、図３に示されるように、報知制御チャネル（BCCH）を、物理下りリンク報知チャネル（PBCH）および物理下りリンク共用チャネル（PDSCH）にマッピングして送信する。そして、基地局装置１００は、マルチキャスト制御チャネル（MCCH）を、物理下りリンク共用チャネル（PDSCH）にマッピングして送信すると同時に、マルチキャスト制御チャネル識別子（MCCH-RNTI）がマッピングされた物理下りリンク制御チャネル（PDCCH）を送信する。マルチキャスト制御チャネル（MCCH）は、MBMSサービスを受信している（あるいは、受信を希望する）移動局装置全て（移動局装置２００を含む）が受信するチャネルである。また、マルチキャスト制御チャネル識別子（MCCH-RNTI）は、図９あるいは図１０に示されるように、MBMSサービスごとに変更されない値であり、SCPTMセル内で（あるいは仕様で）固定の値であるものとして説明を行うが、MBMSサービスごとに変更しても良い。【０１３７】
このとき、基地局装置１００は、報知制御チャネル（BCCH）および／またはマルチキャスト制御チャネル（MCCH）に含まれるMBMS関連情報おいて、SCPTMセルで現在提供しているMBMSサービスについて、MBMS用短送信識別子（MBMS short transmission ID）とMBMSサービスIDのマッピング情報を送信する（図１５−ステップＳ０１）。本実施の形態では、SCPTMセルで提供可能なMBMSサービスの数は８とし、現在、４つのMBMSサービスが提供されているとする。そして、基地局装置１００は、上記MBMS関連情報において、それぞれのMBMS用短送信識別子（MBMS short transmission ID）またはMBMSサービスIDに対応するMBMSサービスを含むマルチキャストトラフィックチャネル（MTCH）が送信されているかどうかを示す情報を報知する（図１５−Ｓ０２）。これは例えば、送信フラグ（flag）として送信される。【０１３８】
この様子を、図７を用いて説明するが、図８を用いて送信される場合も、同様の意味を有する。前述のように、図７では、MBMS用短送信識別子（MBMS short transmission ID）１に対応するMBMSサービスIDは１０１であって、送信フラグ（flag）が１であるため、このMBMSサービスは現在提供されていることを示す。MBMS用短送信識別子（MBMS short transmission ID）２に対応するMBMSサービスIDは１０２であって、送信フラグ（flag）が１であるため、このMBMSサービスは現在提供されていることを示す。MBMS用短送信識別子（MBMS short transmission ID）３に対応するMBMSサービスIDは１０３であって、送信フラグ（flag）が０であるため、このMBMSサービスは提供可能であるが、現在送信されていないことを示す。MBMS用短送信識別子（MBMS short transmission ID）４に対応するMBMSサービスIDは１０４であって、送信フラグ（flag）が１であるため、このMBMSサービスは現在提供されていることを示す。また、MBMS用短送信識別子（MBMS short transmission ID）５から８に対応するMBMSサービスIDはNULLであって、送信フラグ（flag）が０であるため、上記４つのMBMSサービス以外に、あと４つのMBMSサービスを提供することが可能であることを示す。すなわち、SCPTMセルで提供可能な全てのMBMSサービスについて、このマッピング情報を送信するため、MBMS用短送信識別子（MBMS short transmission ID）の最大値は、SCPTMセルで提供可能な全てのMBMSサービスの総数も表し、本実施の形態では、基地局装置１００は８個のMBMSサービスが提供可能であることを意味している。【０１３９】
また、移動局装置は、図７および図８に示されるような送信フラグ（flag）を受信することで、受信したいMBMSサービスが現在送信されているか否かを判断することができる。図７および図８では、この送信フラグ（flag）を上記マッピング情報と同一のメッセージとして送信しているが、別メッセージとして送信してもよい。【０１４０】
尚、移動局装置２００からMBMSサービス開始要求メッセージを受信した場合に、基地局装置１００は、MBMSサービス開始要求メッセージに含まれるMBMS用短送信識別子（MBMS short transmission ID）に対応するMBMSサービスIDを算出し、該当するMBMSサービスの送信を開始する。【０１４１】
そして、基地局装置１００は、MBMS用短送信識別子（MBMS short transmission ID）に対応させるMBMS用グループ識別子（MBMS-RNTI）を選択する（図１５−Ｓ０３）。【０１４２】
例えば、第１のマッピング方法を利用した場合、図１１に示されるように、MBMSサービスID１０１に対応するMBMS用短送信識別子（MBMS short transmission ID）は１番であり、さらに、MBMS用短送信識別子（MBMS short transmission ID）１番に対応するMBMS用グループ識別子（MBMS-RNTI）は１６進数でFFF3であることを示している。同様に、MBMS用短送信識別子（MBMS short transmission ID）２番に対応するMBMSサービスIDは１０２で、MBMS用グループ識別子（MBMS-RNTI）は１６進数でFFF4である。MBMS用短送信識別子（MBMS short transmission ID）３番に対応するMBMSサービスIDは１０３で、MBMS用グループ識別子（MBMS-RNTI）は１６進数でFFF5である。MBMS用短送信識別子（MBMS short transmission ID）４番に対応するMBMSサービスIDは１０４で、MBMS用グループ識別子（MBMS-RNTI）は１６進数でFFF6である。また、MBMS用短送信識別子（MBMS short transmission ID）５番から８番に対応するMBMSサービスIDは割当てられていない（NULLである）が、MBMS用グループ識別子（MBMS-RNTI）は、それぞれ、１６進数でFFF7からFFFAが割当てられている。【０１４３】
また、例えば、第２のマッピング方法を利用した場合、基地局装置１００は、報知制御チャネル（BCCH）および／またはマルチキャスト制御チャネル（MCCH）に含まれるMBMS関連情報おいて、MBMS用短送信識別子（MBMS short transmission ID）とMBMS用グループ識別子（MBMS-RNTI）のマッピング情報をさらに送信する。【０１４４】
図１６に示されるように、MBMS用短送信識別子（MBMS short transmission ID）に対応するMBMS用グループ識別子（MBMS-RNTI）は、それぞれC-RNTIの領域から選択したものを報知している。図１６では、MBMSサービスID１０１に対応するMBMS用短送信識別子（MBMS short transmission ID）は１番であり、さらに、MBMS用短送信識別子（MBMS short transmission ID）１番に対応するMBMS用グループ識別子（MBMS-RNTI）は、１６進数でFEDCであることを示している。同様に、MBMS用短送信識別子（MBMS short transmission ID）２番に対応するMBMSサービスIDは１０２で、MBMS用グループ識別子（MBMS-RNTI）は１６進数でFFF2である。MBMS用短送信識別子（MBMS short transmission ID）３番に対応するMBMSサービスIDは１０３で、MBMS用グループ識別子（MBMS-RNTI）は１６進数でEDCBである。また、MBMS用短送信識別子（MBMS short transmission ID）４番に対応するMBMSサービスIDは１０４で、MBMS用グループ識別子（MBMS-RNTI）は１６進数でB739である。MBMS用短送信識別子（MBMS short transmission ID）５番から８番に対応するMBMSサービスIDは割当てられておらず（NULLであり）、MBMS用グループ識別子（MBMS-RNTI）も割当てられていない。【０１４５】
一方、基地局装置１００が第３のマッピング方法を利用してMBMSサービスを送信する場合、基地局装置１００は、さらに、固定識別子（base ID）と可変識別子（flexible ID）を報知する。図１３（ｂ）に示されるように、ここでは、固定識別子（base ID）をFEDCとして設定するものとする。このとき、図１４に示すように、MBMS用短送信識別子（MBMS short transmission ID）１に対応する可変識別子（flexible ID）は０、MBMS用短送信識別子（MBMS short transmission ID）２に対応する可変識別子（flexible ID）は−１、MBMS用短送信識別子（MBMS short transmission ID）３に対応する可変識別子（flexible ID）は＋１、MBMS用短送信識別子（MBMS short transmission ID）４に対応する可変識別子（flexible ID）は−２として報知される。同時に、基地局装置１００では、MBMS用短送信識別子（MBMS short transmission ID）とMBMS用グループ識別子（MBMS-RNTI）の対応を管理している。すなわち、MBMS用短送信識別子（MBMS short transmission ID）１に対応するMBMS用グループ識別子（MBMS-RNTI）はFEDC（FEDC+0）であり、MBMS用短送信識別子（MBMS short transmission ID）２に対応するMBMS用グループ識別子（MBMS-RNTI）はFEDB（FEDC-1）であり、MBMS用短送信識別子（MBMS short transmission ID）３に対応するMBMS用グループ識別子（MBMS-RNTI）はFEDD（FEDC+1）であり、MBMS用短送信識別子（MBMS short transmission ID）４に対応するMBMS用グループ識別子（MBMS-RNTI）はFEDA（FEDC-2）であり、また、MBMS用短送信識別子（MBMS short transmission ID）５から８に対応するMBMS用グループ識別子（MBMS-RNTI）は割当てられていないものとして管理される。【０１４６】
一方、基地局装置１００が第４のマッピング方法を利用してMBMSサービスを送信する場合、基地局装置１００は、さらに、固定識別子（base ID）を報知する。図２１（ｂ）に示されるように、ここでは、固定識別子（base ID）をFEDB（１６進表記）として設定するものとする。また、第３のマッピング方法で利用した可変識別子（flexible ID）については、前述のように、MBMS用短送信識別子（MBMS short transmission ID）に対して固定の値とし、例えば、可変識別子（flexible ID）は、MBMS用短送信識別子（MBMS short transmission ID）と共通の値として設定されて管理されている。このとき、MBMS用短送信識別子（MBMS short transmission ID）１に対応する固定値は１である。【０１４７】
同時に、基地局装置１００では、MBMS用短送信識別子（MBMS short transmission ID）とMBMS用グループ識別子（MBMS-RNTI）の対応を管理している。すなわち、MBMS用短送信識別子（MBMS short transmission ID）１に対応するMBMS用グループ識別子（MBMS-RNTI）はFEDC（FEDB+1）であり、MBMS用短送信識別子（MBMS short transmission ID）２に対応するMBMS用グループ識別子（MBMS-RNTI）はFEDD（FEDB+2）であり、MBMS用短送信識別子（MBMS short transmission ID）３に対応するMBMS用グループ識別子（MBMS-RNTI）はFEDE（FEDB+3）であり、MBMS用短送信識別子（MBMS short transmission ID）４に対応するMBMS用グループ識別子（MBMS-RNTI）はFEDF（FEDB+4）であり、MBMS用短送信識別子（MBMS short transmission ID）５に対応するMBMS用グループ識別子（MBMS-RNTI）はFEE0（FEDB+5）であり、MBMS用短送信識別子（MBMS short transmission ID）６に対応するMBMS用グループ識別子（MBMS-RNTI）はFEE1（FEDB+6）であり、MBMS用短送信識別子（MBMS short transmission ID）７に対応するMBMS用グループ識別子（MBMS-RNTI）はFEE2（FEDB+7）であり、MBMS用短送信識別子（MBMS short transmission ID）８に対応するMBMS用グループ識別子（MBMS-RNTI）は、FEE3（FEDB+8）として管理される。【０１４８】
そして、基地局装置１００は、送信するMBMSサービス（またはMBMS用短送信識別子（MBMS short transmission ID））に対応するMBMS用グループ識別子（MBMS-RNTI）を物理下りリンク制御チャネル（PDCCH）にマッピングして移動局装置２００へ送信する（図１５−Ｓ０４）とともに、該MBMSサービスを含むマルチキャストトラフィックチャネル（MTCH）を、物理下りリンク共用チャネル（PDSCH）にマッピングして送信する（図１５−Ｓ０５）。例えば、MBMSサービスID１０１に対応するMBMSサービスを送信する場合、基地局装置１００は、MBMS用グループ識別子（MBMS-RNTI）として、第１のマッピング方法の場合FFF3を、第２のマッピング方法の場合FEDCを、マッピング方法３の場合FEDCを、物理下りリンク制御チャネル（PDCCH）に含めて送信するとともに、該MBMSサービスを物理下りリンク共用チャネル（PDSCH）に含めて送信する。【０１４９】
＜第１のマッピング方法を利用しSCPTMセルでのMBMSサービス（MBMS送信データ）受信手順＞
次に、SCPTMセルでMBMSサービスを受信する際の移動局装置２００（無線リソース制御部２０９（MBMS制御部２１０を含む））の処理手順を示す。第１のマッピング方法を利用する場合の処理手順を、図１７に示す。この処理手順は、移動局装置２００が、MBMSサービスの受信を試みる場合に、開始される（ｓｔａｒｔ）。【０１５０】
SCPTMセルにおいて、MBMS送信データを受信する際、移動局装置２００は、報知制御チャネル（BCCH）、マルチキャスト制御チャネル（MCCH）、マルチキャストトラフィックチャネル（MTCH）、の順に受信する。【０１５１】
移動局装置２００は、基地局装置１００の報知制御チャネル（BCCH）および／またはマルチキャスト制御チャネル（MCCH）に含まれるMBMS関連情報を受信し、このSCPTMセルで提供可能な全てのMBMSサービスについて、図８あるいは図７に示されるような、MBMSサービスIDとMBMS用短送信識別子（MBMS short transmission ID）とのマッピング情報を取得し（図１７−Ｓ１）、さらに現在、どのMBMSサービスが送信されているかの情報を取得することで（図１７−Ｓ２）、MBMSサービスIDとMBMS用短送信識別子（MBMS short transmission ID）の対応関係と、受信を希望するMBMSサービスが現在送信されているか否かを把握する（図１７−Ｓ３）。【０１５２】
受信を希望するMBMSサービスが現在送信されていない場合（図１７−Ｓ３でＮｏ）、移動局装置２００は、基地局装置１００に対して、MBMS用短送信識別子（MBMS short transmission ID）を含むMBMSサービス開始要求メッセージを送信する（図１７−Ｓ４）。例えば、移動局装置２００はMBMSサービスIDが１であるMBMSサービスの受信を希望している場合、MBMSサービスIDが１に対応するMBMS用短送信識別子（MBMS short transmission ID）１を含むMBMSサービス開始要求メッセージを、基地局装置に対して送信する。このように、MBMSサービス開始要求を行うために、（２４ビットから４０ビットという）ビット数の大きいMBMSサービスIDを送信するのではなく、よりビット数の小さい（３ビットという）MBMS用短送信識別子（MBMS short transmission ID）を送信することで、上りリンクリソースの消費が少なくなる。【０１５３】
続いて、受信を希望するMBMSサービスが送信されている場合（図１７−Ｓ３でＹｅｓ）、第１のマッピング方法では、MBMS用グループ識別子（MBMS-RNTI）が、図１１に示されるように、仕様化されて固定値であるため、MBMS用短送信識別子（MBMS short transmission ID）に対応するMBMS用グループ識別子（MBMS-RNTI）の値を、移動局装置２００は知っている。これにより、受信を希望するMBMSサービスIDとMBMS用グループ識別子（MBMS-RNTI）の対応関係を把握する（図１７−Ｓ５）。例えば、MBMSサービスIDが１に対応するMBMS用短送信識別子（MBMS short transmission ID）１０１に対応するMBMS用グループ識別子（MBMS-RNTI）は、FFF3（１６進表記）である。【０１５４】
そして、移動局装置２００は、下りリンクサブフレームごとに、物理下りリンク制御チャネル（PDCCH）を復号し、前記ステップ（図１７−Ｓ５）で特定したMBMS用グループ識別子（MBMS-RNTI）が含まれるか否かを確認することで、受信を希望するMBMSサービスが存在するか否かを確認する（図１７−Ｓ６）。例えば、移動局装置２００が、MBMSサービスIDが１０１の受信を希望する場合、対応するMBMS用グループ識別子（MBMS-RNTI）はFFF3（１６進表記）であるため、物理下りリンク制御チャネル（PDCCH）にFFF3が含まれるか否かを確認する。【０１５５】
移動局装置２００は、下りリンクサブフレーム毎にMBMS用グループ識別子（MBMS-RNTI）を含む物理下りリンク制御チャネル（PDCCH）の復号を続け、前記ステップ（図１７−Ｓ５）で特定したMBMS用グループ識別子（MBMS-RNTI）を検出した場合（図１７−Ｓ６でＹｅｓ）、移動局装置２００は、物理下りリンク制御チャネル（PDCCH）で指定された物理下りリンク共用チャネル（PDSCH）を受信し、物理下りリンク共用チャネル（PDSCH）に含まれるマルチキャストトラフィックチャネル（MTCH）（所望のMBMSサービスを含む）を受信し（図１７−Ｓ７）、処理を終了する（ｅｎｄ）。【０１５６】
＜第２のマッピング方法を利用しSCPTMセルでのMBMSサービス（MBMS送信データ）受信手順＞
次に、第２のマッピング方法を利用して、SCPTMセルでMBMSサービスを受信する際の移動局装置２００（無線リソース制御部２０９（MBMS制御部２１０を含む））の処理手順を図１８に示す。この処理手順は、移動局装置２００が、MBMSサービスの受信を試みる場合に、開始される（ｓｔａｒｔ）。【０１５７】
SCPTMセルにおいて、MBMS送信データを受信する際、移動局装置２００は、報知制御チャネル（BCCH）、マルチキャスト制御チャネル（MCCH）、マルチキャストトラフィックチャネル（MTCH）の順に受信する。【０１５８】
移動局装置２００は、基地局装置１００の報知制御チャネル（BCCH）および／またはマルチキャスト制御チャネル（MCCH）に含まれるMBMS関連情報を受信し、このSCPTMセルで提供可能な全てのMBMSサービスについて、図８あるいは図７に示されるような、MBMSサービスIDとMBMS用短送信識別子（MBMS short transmission ID）とのマッピング情報を取得し（図１８−Ｓ１１）、さらに、現在どのMBMSサービスが送信されているかの情報を取得することで（図１８−Ｓ１２）、MBMSサービスIDとMBMS用短送信識別子（MBMS short transmission ID）との対応関係と、受信を希望するMBMSサービスが現在送信されているか否かを調べる（図１８−Ｓ１３）。【０１５９】
受信を希望するMBMSサービスが現在送信されていない場合（図１８−Ｓ１３でＮｏ）、移動局装置２００は、基地局装置１００に対して、MBMS用短送信識別子（MBMS short transmission ID）を含むMBMSサービス開始要求メッセージを送信する（図１８−Ｓ１４）。例えば、移動局装置２００はMBMSサービスIDが１であるMBMSサービスの受信を希望している場合、MBMSサービスIDが１に対応するMBMS用短送信識別子（MBMS short transmission ID）１を含むMBMSサービス開始要求メッセージを、基地局装置に対して送信する。このように、MBMSサービス開始要求を行うために、（２４ビットから４０ビットという）ビット数の大きいMBMSサービスIDを送信するのではなく、よりビット数の小さい（３ビットという）MBMS用短送信識別子（MBMS short transmission ID）を送信することで、上りリンクリソースの消費が少なくなる。【０１６０】
続いて、受信を希望するMBMSサービスが送信されている場合（図１８−Ｓ１３でＹｅｓ）、移動局装置２００は、上記MBMS関連情報から、図１２に示されるような、MBMS用短送信識別子（MBMS short transmission ID）とMBMS用グループ識別子（MBMS-RNTI）とのマッピング情報を取得する（図１８−Ｓ１５）。これにより、受信を希望するMBMSサービスIDとMBMS用グループ識別子（MBMS-RNTI）の対応関係を把握する（図１８−Ｓ１６）。例えば、MBMSサービスIDが１に対応するMBMS用短送信識別子（MBMS short transmission ID）１０１に対応するMBMS用グループ識別子（MBMS-RNTI）は、FEDC（１６進表記）である。【０１６１】
そして、移動局装置２００は、下りリンクサブフレーム毎に、物理下りリンク制御チャネル（PDCCH）を復号し、上記ステップ（図１８−Ｓ１６）で特定したMBMS用グループ識別子（MBMS-RNTI）が含まれるか否かを確認することで、受信を希望するMBMSサービスが存在するか否かを確認する（図１８−Ｓ１７）。例えば、図１６に示されるように、移動局装置２００が、MBMSサービスIDが１０１の受信を希望する場合、対応するMBMS用グループ識別子（MBMS-RNTI）はFEDC（１６進表記）であるため、物理下りリンク制御チャネル（PDCCH）にFEDCが含まれるか否かを確認する。【０１６２】
移動局装置２００は、下りリンクサブフレーム毎にMBMS用グループ識別子（MBMS-RNTI）を含む物理下りリンク制御チャネル（PDCCH）の復号を続け、前記ステップ（図１８−Ｓ１６）で特定したMBMS用グループ識別子（MBMS-RNTI）を検出した場合（図１８−Ｓ１７でＹｅｓ）、移動局装置２００は、物理下りリンク制御チャネル（PDCCH）で指定された物理下りリンク共用チャネル（PDSCH）を受信し、物理下りリンク共用チャネル（PDSCH）に含まれるマルチキャストトラフィックチャネル（MTCH）（所望のMBMSサービスを含む）を受信し（図１８−Ｓ１８）、処理を終了する（ｅｎｄ）。【０１６３】
＜第３のマッピング方法を利用したSCPTMセルでのMBMSサービス（MBMS送信データ）受信手順＞
次に、第３のマッピング方法を利用して、SCPTMセルでMBMSサービスを受信する際の移動局装置２００（無線リソース制御部２０９（MBMS制御部２１０を含む））の処理手順を図１９に示す。この処理手順は、移動局装置２００が、MBMSサービスの受信を試みる場合に、開始される（ｓｔａｒｔ）。【０１６４】
SCPTMセルにおいて、MBMS送信データを受信する際、移動局装置２００は、報知制御チャネル（BCCH）、マルチキャスト制御チャネル（MCCH）、マルチキャストトラフィックチャネル（MTCH）の順に受信する。【０１６５】
移動局装置２００は、基地局装置１００の報知制御チャネル（BCCH）および／またはマルチキャスト制御チャネル（MCCH）に含まれるMBMS関連情報を受信し、このSCPTMセルで提供可能な全てのMBMSサービスについて、図８あるいは図７に示されるような、MBMSサービスIDとMBMS用短送信識別子（MBMS short transmission ID）とのマッピング情報を取得し（図１９−Ｓ２１）、さらに、現在どのMBMSサービスが送信されているかの情報を取得することで（図１９−Ｓ２２）、MBMSサービスIDとMBMS用短送信識別子（MBMS short transmission ID）の対応関係と、受信を希望するMBMSサービスが送信されているか否かを把握する（図１９−Ｓ２３）。【０１６６】
受信を希望するMBMSサービスが現在送信されていない場合（図１９−Ｓ２３でＮｏ）、移動局装置２００は、基地局装置１００に対して、MBMS用短送信識別子（MBMS short transmission ID）を含むMBMSサービス開始要求メッセージを送信する（図１９−Ｓ２４）。例えば、移動局装置２００はMBMSサービスIDが１であるMBMSサービスの受信を希望している場合、MBMSサービスIDが１に対応するMBMS用短送信識別子（MBMS short transmission ID）１を含むMBMSサービス開始要求メッセージを、基地局装置に対して送信する。このように、MBMSサービス開始要求を行うために、（２４ビットから４０ビットという）ビット数の大きいMBMSサービスIDを送信するのではなく、よりビット数の小さい（３ビットという）MBMS用短送信識別子（MBMS short transmission ID）を送信することで、上りリンクリソースの消費が少なくなる。【０１６７】
続いて、受信を希望するMBMSサービスが送信されている場合（図１９−Ｓ２３でＹｅｓ）、移動局装置２００は、前記MBMS関連情報から、図１４に示されるような、MBMS用短送信識別子（MBMS short transmission ID）と可変識別子（flexible ID）のマッピング情報、および、固定識別子（base ID）を取得する（図１９−Ｓ２５）。そして、移動局装置２００は、MBMS用グループ識別子（MBMS-RNTI）を固定識別子（base ID）と可変識別子（flexible ID）の加算によって算出する（図１９−Ｓ２６）。すなわち、MBMS用短送信識別子（MBMS short transmission ID）１に対応するMBMS用グループ識別子（MBMS-RNTI）はFEDC（１６進表記）と計算され、MBMS用短送信識別子（MBMS short transmission ID）２に対応するMBMS用グループ識別子（MBMS-RNTI）はFEDBと計算され、MBMS用短送信識別子（MBMS short transmission ID）３に対応するMBMS用グループ識別子（MBMS-RNTI）はFEDDと計算され、MBMS用短送信識別子（MBMS short transmission ID）４に対応するMBMS用グループ識別子（MBMS-RNTI）はFEDAと計算される。これにより、受信を希望するMBMSサービスIDとMBMS用グループ識別子（MBMS-RNTI）の対応関係を把握する。【０１６８】
そして、移動局装置２００は、下りリンクサブフレームごとに、物理下りリンク制御チャネル（PDCCH）を復号し、前記ステップ（図１９−Ｓ２６）で特定したMBMS用グループ識別子（MBMS-RNTI）が含まれるか否かを確認することで、受信を希望するMBMSサービスが存在するか否かを確認する（図１９−Ｓ２７）。例えば、移動局装置２００が、MBMSサービスIDが１０１の受信を希望する場合、対応するMBMS用グループ識別子（MBMS-RNTI）はFFF3（１６進表記）であるため、物理下りリンク制御チャネル（PDCCH）にFFF3が含まれるか否かを確認する。【０１６９】
移動局装置２００は、下りリンクサブフレーム毎にMBMS用グループ識別子（MBMS-RNTI）を含む物理下りリンク制御チャネル（PDCCH）の復号を続け、前記ステップ（図１９−Ｓ２６）で特定したMBMS用グループ識別子（MBMS-RNTI）を検出した場合（図１９−Ｓ２７でＹｅｓ）、移動局装置２００は、物理下りリンク制御チャネル（PDCCH）で指定された物理下りリンク共用チャネル（PDSCH）を受信し、物理下りリンク共用チャネル（PDSCH）に含まれるマルチキャストトラフィックチャネル（MTCH）（所望のMBMSサービスを含む）を受信し（図１９−Ｓ２８）、処理を終了する（ｅｎｄ）。【０１７０】
＜第４のマッピング方法を利用したSCPTMセルでのMBMSサービス（MBMS送信データ）受信手順＞
次に、第４のマッピング方法を利用して、SCPTMセルでMBMSサービスを受信する際の移動局装置２００（無線リソース制御部２０９（MBMS制御部２１０を含む））の処理手順を図２３に示す。この処理手順は、移動局装置２００が、MBMSサービスの受信を試みる場合に、開始される（ｓｔａｒｔ）。【０１７１】
SCPTMセルにおいて、MBMS送信データを受信する際、移動局装置２００は、報知制御チャネル（BCCH）、マルチキャスト制御チャネル（MCCH）、マルチキャストトラフィックチャネル（MTCH）の順に受信する。【０１７２】
移動局装置２００は、基地局装置１００の報知制御チャネル（BCCH）および／またはマルチキャスト制御チャネル（MCCH）に含まれるMBMS関連情報を受信し、このSCPTMセルで提供可能な全てのMBMSサービスについて、図８あるいは図７に示されるような、MBMSサービスIDとMBMS用短送信識別子（MBMS short transmission ID）とのマッピング情報を取得し（図２３−Ｓ３１）、さらに、現在どのMBMSサービスが送信されているかの情報を取得することで（図２３−Ｓ３２）、MBMSサービスIDとMBMS用短送信識別子（MBMS short transmission ID）の対応関係と、受信を希望するMBMSサービスが送信されているか否かを把握する（図２３−Ｓ３３）。【０１７３】
受信を希望するMBMSサービスが現在送信されていない場合（図２３−Ｓ３３でＮｏ）、移動局装置２００は、基地局装置１００に対して、MBMS用短送信識別子（MBMS short transmission ID）を含むMBMSサービス開始要求メッセージを送信する（図２３−Ｓ３４）。例えば、移動局装置２００はMBMSサービスIDが１であるMBMSサービスの受信を希望している場合、MBMSサービスIDが１に対応するMBMS用短送信識別子（MBMS short transmission ID）１を含むMBMSサービス開始要求メッセージを、基地局装置に対して送信する。このように、MBMSサービス開始要求を行うために、（２４ビットから４０ビットという）ビット数の大きいMBMSサービスIDを送信するのではなく、よりビット数の小さい（３ビットという）MBMS用短送信識別子（MBMS short transmission ID）を送信することで、上りリンクリソースの消費が少なくなる。【０１７４】
続いて、受信を希望するMBMSサービスが送信されている場合（図２３−Ｓ３３でＹｅｓ）、移動局装置２００は、前記MBMS関連情報から、図２２に示されるような、固定識別子（base ID）を取得する（図２３−Ｓ３５）。そして、移動局装置２００は、MBMS用グループ識別子（MBMS-RNTI）を固定識別子（base ID）と可変識別子（flexible ID）の加算によって算出する（図２３−Ｓ３６）。【０１７５】
ここで、第３のマッピング方法で利用した可変識別子（flexible ID）については、前述のように、MBMS用短送信識別子（MBMS short transmission ID）に対して固定の値として管理されている。例えば、可変識別子（flexible ID）は、MBMS用短送信識別子（MBMS short transmission ID）と共通の値として設定されて管理されている。このとき、MBMS用短送信識別子（MBMS short transmission ID）１に対応する固定値は１である。【０１７６】
すなわち、MBMS用短送信識別子（MBMS short transmission ID）１に対応するMBMS用グループ識別子（MBMS-RNTI）はFEDC（１６進表記）と計算され、MBMS用短送信識別子（MBMS short transmission ID）２に対応するMBMS用グループ識別子（MBMS-RNTI）はFEDD（１６進表記）と計算され、MBMS用短送信識別子（MBMS short transmission ID）３に対応するMBMS用グループ識別子（MBMS-RNTI）はFEDE（１６進表記）と計算され、MBMS用短送信識別子（MBMS short transmission ID）４に対応するMBMS用グループ識別子（MBMS-RNTI）はFEDF（１６進表記）と計算され、MBMS用短送信識別子（MBMS short transmission ID）５に対応するMBMS用グループ識別子（MBMS-RNTI）はFEE0（１６進表記）と計算され、MBMS用短送信識別子（MBMS short transmission ID）６に対応するMBMS用グループ識別子（MBMS-RNTI）はFEE1（１６進表記）と計算され、MBMS用短送信識別子（MBMS short transmission ID）７に対応するMBMS用グループ識別子（MBMS-RNTI）はFEE2（１６進表記）と計算され、MBMS用短送信識別子（MBMS short transmission ID）８に対応するMBMS用グループ識別子（MBMS-RNTI）はFEE3（１６進表記）と計算される。これにより、受信を希望するMBMSサービスIDとMBMS用グループ識別子（MBMS-RNTI）の対応関係を把握する。【０１７７】
そして、移動局装置２００は、下りリンクサブフレームごとに、物理下りリンク制御チャネル（PDCCH）を復号し、前記ステップ（図２３−Ｓ３６）で特定したMBMS用グループ識別子（MBMS-RNTI）が含まれるか否かを確認することで、受信を希望するMBMSサービスが存在するか否かを確認する（図２３−Ｓ３７）。例えば、移動局装置２００が、MBMSサービスIDが１０１の受信を希望する場合、対応するMBMS用グループ識別子（MBMS-RNTI）はFFF3（１６進表記）であるため、物理下りリンク制御チャネル（PDCCH）にFFF3が含まれるか否かを確認する。【０１７８】
移動局装置２００は、下りリンクサブフレーム毎にMBMS用グループ識別子（MBMS-RNTI）を含む物理下りリンク制御チャネル（PDCCH）の復号を続け、前記ステップ（図２３−Ｓ３６）で特定したMBMS用グループ識別子（MBMS-RNTI）を検出した場合（図２３−Ｓ３７でＹｅｓ）、移動局装置２００は、物理下りリンク制御チャネル（PDCCH）で指定された物理下りリンク共用チャネル（PDSCH）を受信し、物理下りリンク共用チャネル（PDSCH）に含まれるマルチキャストトラフィックチャネル（MTCH）（所望のMBMSサービスを含む）を受信し（図２３−Ｓ３８）、処理を終了する（ｅｎｄ）。【０１７９】
＜まとめ＞
以上に説明したように、本発明の形態による通信技術によれば、SCPTMセルを構成する基地局装置は、MBMS用短送信識別子（MBMS short transmission ID）とMBMS用グループ識別子（MBMS-RNTI）とのマッピング方法を定めることにより、基地局装置が移動局装置に対して割当てる識別情報群（MAC ID）領域の効率的な利用と、移動局装置から基地局装置に対してMBMSサービスの送信開始を要求するための上りリンクリソースの低減を実現することができる。【０１８０】
＜更なる変形例＞
尚、本発明は、上記に記載の実施の形態で示した例に限定されず、種々の変更を行うことが可能である。すなわち、本実施の形態では、もともとSCPTMセル内にいる移動局装置に対してMBMSサービスを提供する場合を例にとって説明を行ったが、MBSFNエリアからSCPTMセルへ移動局装置が移動する場合にも、本発明を適用することができる。【０１８１】
また、本実施の形態では、MBMS用短送信識別子（MBMS short transmission ID）とMBMSサービスIDとのマッピング情報や、MBMS用短送信識別子（MBMS short transmission ID）とMBMS用グループ識別子（MBMS-RNTI）とのマッピング情報をMBMS関連情報に含めて送信するように説明したが、それらの対応関係が移動局装置で判断可能な構成であればどのような構成でも良い。例えば、MBMS用短送信識別子（MBMS short transmission ID）ごとにMBMS関連情報が構成され、それぞれのMBMS関連情報において、そのMBMS用短送信識別子（MBMS short transmission ID）に対応するMBMSサービスIDおよび／またはMBMS用グループ識別子（MBMS-RNTI）が含まれるようにしても良い。また例えば、MBMS用グループ識別子（MBMS-RNTI）ごとにMBMS関連情報が構成され、それぞれのMBMS関連情報において、そのMBMS用グループ識別子（MBMS-RNTI）に対応するMBMSサービスIDおよび／またはMBMS用短送信識別子（MBMS short transmission ID）が含まれるようにしても良い。この場合、MBMS用グループ識別子（MBMS-RNTI）を含む物理下りリンク制御チャネル（PDCCH）で指定された物理下りリンク共用チャネル（PDSCH）に、そのMBMS用グループ識別子（MBMS-RNTI）に対応するMBMSサービスIDおよび／またはMBMS用短送信識別子（MBMS short transmission ID）が含まれるようにしてもよい。【０１８２】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。【０１８３】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。【０１８４】
また、「コンピュータシステム」は、ＷＷＷシステムを利用している場合であれば、ホームページ提供環境（あるいは表示環境）も含むものとする。【０１８５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。また、通信方法であっても良い。【０１８６】
また、ここまでの説明では、便宜上、基地局装置と移動局装置が１対１で処理する場合について説明しているが、基地局装置が複数存在したり、移動局装置が複数存在したりしても良いことは勿論である。【０１８７】
また、無線アクセス手段の種別としては、W-CDMAやｃｄｍａ２０００、無線ＬＡＮ、ＰＨＳ等の既存の手段に限らず、将来実用化される通信手段に対しても、本発明は適用可能である。
【産業上の利用可能性】
【０１８８】
本発明は、MBMSサービスを提供する移動通信システムに利用可能である。
【図１】
2009131087.tif 000003
【図２】
2009131087.tif 000004
【図３】
2009131087.tif 000005
【図４】
2009131087.tif 000006
【図５】
2009131087.tif 000007
【図６】
2009131087.tif 000008
【図７】
2009131087.tif 000009
【図８】
2009131087.tif 000010
【図９】
2009131087.tif 000011
【図１０】
2009131087.tif 000012
【図１１】
2009131087.tif 000013
【図１２】
2009131087.tif 000014
【図１３】
2009131087.tif 000015
【図１４】
2009131087.tif 000016
【図１５】
2009131087.tif 000017
【図１６】
2009131087.tif 000018
【図１７】
2009131087.tif 000019
【図１８】
2009131087.tif 000020
【図１９】
2009131087.tif 000021
【図２０】
2009131087.tif 000022
【図２１】
2009131087.tif 000023
【図２２】
2009131087.tif 000024
【図２３】
2009131087.tif 000025
【国際調査報告】
2009131087.tif 000026
2009131087.tif 000027
2009131087.tif 000028